(57)【要約】【課題】鮎釣りや渓流釣りなどに用いる釣り糸に目印、浮き、釣り針などを取り付けた仕掛けを従来の釣り糸収納具に収納すると、仕掛け同士が絡まり合って釣りをする際に素早く収納具から出せなかったり、仕掛けが絡まり合って破損してしまうなどの問題があった。【解決手段】釣り糸収納ユニットの釣り糸を収納する釣り糸収納部に、側壁の外周近傍に弾性体の突起を有する新規の側壁を少なくとも１つ用いることによって課題を解決し、たとえば鮎釣りに用いられる水中糸のように細くて硬くて折れやすい性質を有する釣り糸でも、リール胴体に巻き付けた状態で自然にほどけることがない、信頼性が高く、使い勝手の良い、小型で安価な釣り糸収納具を提供した。【選択図】　図２９
2004129559.tif 000002
【特許請求の範囲】
【請求項１】
魚釣り用の釣り糸を巻き付けて収納することができる釣り糸収納具であって、前記釣り糸収納具は、釣り糸を収納することができる少なくとも１つの収納ユニットを有しており、前記収納ユニットは、少なくとも、対向して配置されている一対の側壁と少なくとも１つの前記側壁に配置されている複数の弾性体の突起とを有していることを特徴とする釣り糸収納具。
【請求項２】
請求項１に記載の釣り糸収納具において、前記収納ユニットは前記対向して配置されている少なくとも一対の側壁の少なくとも一部に接続あるいは近接して配置されており釣り糸を巻き付けることが出来るリール胴体を有しており、前記少なくとも１つの収納ユニットの側壁に配置されている前記突起は、前記少なくとも一対の側壁のうちの少なくとも一方の側壁の、以下において側壁内部ともいう位置、すなわち、その側壁の外周近傍で、かつ、外周よりも前記収納ユニットの内側すなわち前記側壁上で前記リール胴体に近い方に寄った複数ヶ所の位置に、前記一方の側壁からその側壁に対向配置されている他方の側壁の方向に向けて突き出している弾性体の突起として形成されており、前記一対の側壁と前記弾性体の突起と前記リール胴体とで前記リール胴体に巻き付けられた釣り糸を収納して保持することができる釣り糸収納部を形成していることを特徴とする釣り糸収納具。
【請求項３】
請求項１または２に記載の釣り糸収納具において、前記少なくとも一つの収納ユニットの前記リール胴体は、釣り糸を巻き付ける胴体部分の外周形状が円形または楕円形または多角形であることを特徴とする釣り糸収納具。
【請求項４】
請求項１〜３のいずれか１項に記載の釣り糸収納具において、前記少なくとも一つの収納ユニットの少なくとも１つの前記側壁の主要部分が平板状で、その側壁の外周形状が円形または楕円形または多角形であることを特徴とする釣り糸収納具。
【請求項５】
請求項１〜４のいずれか１項に記載の釣り糸収納具において、前記少なくとも一つの収納ユニットの少なくとも１つの側壁に少なくとも１つの穴が形成されていることを特徴とする釣り糸収納具。
【請求項６】
請求項１〜５のいずれか１項に記載の釣り糸収納具において、前記少なくとも一つの収納ユニットの前記少なくとも１つの側壁に少なくとも１つの切り込み部が形成されていることを特徴とする釣り糸収納具。
【請求項７】
請求項６に記載の釣り糸収納具において、前記切り込み部の少なくとも１つがそれが形成されている側壁の外周部から前記リール胴体の位置あるいは前記リール胴体の位置の近傍まで形成されている深い切り込み部であることを特徴とする釣り糸収納具。
【請求項８】
請求項６または７に記載の釣り糸収納具において、前記少なくとも１つの側壁に形成されている前記深い切り込み部の数が２〜４個であることを特徴とする釣り糸収納具。
【請求項９】
請求項１〜８のいずれか１項に記載の釣り糸収納具において、前記少なくとも一つの収納ユニットの少なくとも一つの側壁が弾性体であることを特徴とする釣り糸収納具。
【請求項１０】
請求項１〜９のいずれか１項に記載の釣り糸収納具において、前記少なくとも一つの収納ユニットの前記リール胴体が弾性体であることを特徴とする釣り糸収納具。
【請求項１１】
請求項１〜１０のいずれか１項に記載の釣り糸収納具において、前記少なくとも一つの収納ユニットの、少なくとも１つの側壁の前記側壁に形成されている弾性体の突起が一体成形技術を用いて、その形成されている側壁と一体に形成されていることを特徴とする釣り糸収納具。
【請求項１２】
請求項２〜１１のいずれか１項に記載の釣り糸収納具において、少なくとも１つの前記側壁はリール胴体と一体に形成されていることを特徴とする釣り糸収納具。
【請求項１３】
請求項２〜１２のいずれか１項に記載の釣り糸収納具において、前記リール胴体は着脱可能な少なくとも２つの部分から構成されていることを特徴とする釣り糸収納具。
【請求項１４】
請求項１〜１３のいずれか１項に記載の釣り糸収納具において、少なくとも１つの前記側壁は、前記釣り糸収納具に着脱可能な構造になっていることを特徴とする釣り糸収納具。
【請求項１５】
請求項１〜１４のいずれか１項に記載の釣り糸収納具において、少なくとも一対の対向して配置されている前記側壁に形成されている弾性体の突起が、前記一対の側壁のうちの片方の側壁にのみ形成されていることを特徴とする釣り糸収納具。
【請求項１６】
請求項１５に記載の釣り糸収納具において、少なくとも１つの前記弾性体の突起の長さが前記一対の対向して配置されている両方の側壁の間隔の２分の１以上の長さであることを特徴とする釣り糸収納具。
【請求項１７】
請求項１６に記載の釣り糸収納具において、少なくとも１つの前記弾性体の突起の長さが前記一対の対向して配置されている両方の側壁の間隔におおよそ等しい長さであることを特徴とする釣り糸収納具。
【請求項１８】
請求項１５に記載の釣り糸収納具において、少なくとも１つの前記弾性体の突起の長さが前記一対の対向して配置されている両方の側壁の間隔よりも０．０５〜０．５ｍｍ短い長さであることを特徴とする釣り糸収納具。
【請求項１９】
請求項１〜１４のいずれか１項に記載の釣り糸収納具において、前記側壁に形成されている弾性体の突起が、対向して配置されている前記一対の側壁の、以下において第１の側壁とも称する一方の側壁と以下において第２の側壁とも称する他方の側壁の両方の側壁に形成されていることを特徴とする釣り糸収納具。
【請求項２０】
請求項１９に記載の釣り糸収納具において、少なくとも４本の前記突起の長さが前記両方の側壁の間隔の２分の１よりも長いことを特徴とする釣り糸収納具。
【請求項２１】
請求項２０に記載の釣り糸収納具において、少なくとも４本の前記突起の長さが前記両方の側壁の間隔におおよそ等しい長さであることを特徴とする釣り糸収納具。
【請求項２２】
請求項２０に記載の釣り糸収納具において、少なくとも４本の前記突起の長さが前記両方の側壁の間隔よりも０．０５〜０．５ｍｍ短い長さであることを特徴とする釣り糸収納具。
【請求項２３】
請求項１９に記載の釣り糸収納具において、前記両方の側壁に形成されている弾性体の突起の少なくとも一対は、前記両方の側壁の対向する位置に配置されていることを特徴とする釣り糸収納具。
【請求項２４】
請求項２３に記載の釣り糸収納具において、前記両方の側壁の対向する位置に形成されている双方の弾性体の突起の合計した長さが前記両方の側壁の間隔の２分の１よりも長いことを特徴とする釣り糸収納具。
【請求項２５】
請求項２４に記載の釣り糸収納具において、前記両方の側壁の対向する位置に形成されている双方の弾性体の突起の合計した長さが前記両方の側壁の間隔におおよそ等しい長さであることを特徴とする釣り糸収納具。
【請求項２６】
請求項２４に記載の釣り糸収納具において、前記両方の側壁の対向する位置に形成されている双方の弾性体の突起の合計した長さが前記両方の側壁の間隔よりも０．０５〜０．５ｍｍ短い長さであることを特徴とする釣り糸収納具。
【請求項２７】
請求項１９〜２２のいずれか１項に記載の釣り糸収納具において、少なくとも一対の対向して配置されている第１と第２の側壁のそれぞれに形成されている弾性体の突起が、前記第１の側壁に形成されている弾性体の突起と前記第２の側壁に形成されている弾性体の突起が、側壁の周方向において交互に配置されるように形成されていることを特徴とする釣り糸収納具。
【請求項２８】
請求項１〜２７のいずれか１項に記載の釣り糸収納具において、前記突起が棒状であることを特徴とする釣り糸収納具。
【請求項２９】
請求項２８に記載の釣り糸収納具において、前記突起が、その先端近傍の径が付け根近傍の径よりも細くなっている突起であることを特徴とする釣り糸収納具。
【請求項３０】
請求項１〜２７のいずれか１項に記載の釣り糸収納具において、前記突起が扁平状であることを特徴とする釣り糸収納具。
【請求項３１】
請求項３０に記載の釣り糸収納具において、前記突起の幅寸法と厚み寸法のいずれか一方または双方が、その付け根部分近傍よりも先端部近傍において小さくなっていることを特徴とする釣り糸収納具。
【請求項３２】
請求項１〜３１のいずれか１項に記載の釣り糸収納具において、少なくとも一つの前記側壁に形成されている前記弾性体の突起の少なくとも２つは、当該側壁におけるその突起の付け根部分の隙間が０または当該２つの突起の間の隙間が０または前記両突起の付け根部分の外接円の直径の平均値より小さい突起対であることを特徴とする釣り糸収納具。
【請求項３３】
請求項３２に記載の釣り糸収納具において、少なくとも１つの収納ユニットに前記突起対が少なくとも２対設けられていることを特徴とする釣り糸収納具。
【請求項３４】
請求項３２または３３に記載の釣り糸収納具において、少なくとも１つの収納ユニットに前記突起対と前記突起の付け根部分の外接円の直径以上の距離だけ隣の突起から離れて形成されている単独の突起とが設けられていることを特徴とする釣り糸収納具。
【請求項３５】
請求項１〜３４のいずれか１項に記載の釣り糸収納具において、前記少なくとも一つの収納ユニットの少なくとも１つの側壁に形成されている帯状でない弾性体の前記単独の突起の中心位置あるいは突起対の中心位置が前記収納ユニットの側壁の周方向において等間隔になるように当該突起が配置されていることを特徴とする釣り糸収納具。
【請求項３６】
請求項１〜３５のいずれか１項に記載の釣り糸収納具において、前記弾性体の突起が、前記突起が設けられている位置における側壁表面の法線に対して前記突起の、以下において中心線とも称する、長さ方向の平均的中心軸に相当する仮想の軸が所定の角度θ１だけ前記釣り糸収納部の内側に向けて形成されていることを特徴とする釣り糸収納具。
【請求項３７】
請求項３６に記載の釣り糸収納具において、前記所定の角度θ１が０〜３０度であることを特徴とする釣り糸収納具。
【請求項３８】
請求項１〜３７のいずれか１項に記載の釣り糸収納具において、前記突起は、それが設けられている側壁の中心点と前記突起の付け根部分の中心点と前記突起の中心線上の先端とを含む断面において、前記突起の、その配置されている側壁の径方向外側と内側の輪郭の平均接線が、所定の角度θ２をなして前記突起の先端部分が付け根部分より細くなるように形成されていることを特徴とする釣り糸収納具。
【請求項３９】
請求項３８に記載の釣り糸収納具において、前記所定の角度θ２が３０度以下であることを特徴とする釣り糸収納具。
【請求項４０】
請求項１〜３９のいずれか１項に記載の釣り糸収納具において、少なくとも１つの収納ユニットの前記弾性体の突起の太さは、前記突起の長さ方向の中央部の平均径が０．２〜２ｍｍであることを特徴とする釣り糸収納具。
【請求項４１】
請求項１〜４０のいずれか１項に記載の釣り糸収納具において、少なくとも１つの収納ユニットの側壁に設けられている前記突起のうちの過半数の突起の長さ方向の中心線が、前記側壁の外周に沿った一方の方向に所定の角度θ３だけ傾いて形成されていることを特徴とする釣り糸収納具。
【請求項４２】
請求項４１に記載の釣り糸収納具において、前記所定の角度θ３が３０度より大きくないことを特徴とする釣り糸収納具。
【請求項４３】
請求項１〜２７のいずれか１項に記載の釣り糸収納具において、前記突起の少なくとも１つが、その配置されている側壁の径方向の寸法よりも前記側壁の外周に沿った方法の寸法が大きい、以下において帯状の突起あるいは帯状突起とも称する形状の突起であることを特徴とする釣り糸収納具。
【請求項４４】
請求項４３に記載の釣り糸収納具において、前記帯状の突起の断面積が、その付け根近傍、におけるよりも突起の先端部近傍における方が小さいことを特徴とする釣り糸収納具。
【請求項４５】
請求項４３または４４に記載の釣り糸収納具において、少なくとも１つの前記側壁の同一側に前記帯状の突起が複数個設けられていることを特徴とする釣り糸収納具。
【請求項４６】
請求項４５に記載の釣り糸収納具において、少なくとも１つの前記側壁の同一側に設けられている帯状の突起の数が４個であることを特徴とする釣り糸収納具。
【請求項４７】
請求項４３〜４６のいずれか１項に記載の釣り糸収納具において、少なくとも１つの前記側壁の同一側に、以下において突起Ａともいう前記帯状の突起と、以下において突起Ｂともいう帯状でなくて請求項１〜４６のいずれか１項に記載の突起の特徴を有する突起とが設けられていることを特徴とする釣り糸収納具。
【請求項４８】
請求項１〜４７のいずれか１項に記載の釣り糸収納具において、前記弾性体の突起を有する側壁のうちの少なくとも１つの側壁は、その一方の側と他方の側の両側に、前記いずれかの特徴を有する突起をそれぞれ複数個有することを特徴とする釣り糸収納具。
【請求項４９】
請求項４８に記載の釣り糸収納具において、一方の側と他方の側の両側に突起を有する少なくとも１つの前記側壁は、リール胴体と一体に形成されていることを特徴とする釣り糸収納具。
【請求項５０】
請求項４９に記載の釣り糸収納具において、前記側壁に一体に形成されているリール胴体が、前記側壁の一方の側と他方の側の両方に設けられていることを特徴とする釣り糸収納具。
【請求項５１】
請求項５０に記載の釣り糸収納具において、前記側壁の一方の側に形成されているリール胴体と他方の側に形成されているリール胴体は、前記側壁の法線方向の寸法が異なることを特徴とする釣り糸収納具。
【請求項５２】
請求項４８〜５１のいずれか１項に記載の釣り糸収納具において、両側に突起を有する少なくとも１つの前記側壁の一方の側に設けられている突起と他方の側に設けられている突起の間隔が異なることを特徴とする釣り糸収納具。
【請求項５３】
請求項４８〜５２のいずれか１項に記載の釣り糸収納具において、両側に突起を有する少なくとも１つの前記側壁の一方の側に設けられている突起と他方の側に設けられている突起の形状と寸法が異なることを特徴とする釣り糸収納具。
【請求項５４】
請求項４８〜５３のいずれか１項に記載の釣り糸収納具において、両側に突起を有する少なくとも１つの前記側壁の一方の側には帯状でない突起のみが設けられており、他方の側には少なくとも２つの帯状の突起が設けられていることを特徴とする釣り糸収納具。
【請求項５５】
請求項４８〜５４のいずれか１項に記載の釣り糸収納具において、両側に突起を有する少なくとも１つの前記側壁は、その外周部近傍に少なくとも２つの突起を有することを特徴とする釣り糸収納具。
【請求項５６】
請求項４８〜５５のいずれか１項に記載の釣り糸収納具において、両側に突起を有する少なくとも１つの前記側壁は、一方の側には帯状でない突起を有し、他方の側には、少なくとも４つの帯状の突起を側壁外周部近傍に有するとともに、前記外周部近傍に設けられた帯状の突起よりもリール胴体に近い方に近接して配置された前記突起対を少なくとも２組有する側壁であることを特徴とする釣り糸収納具。
【請求項５７】
請求項５６に記載の釣り糸収納具において、前記突起対は、前記帯状の突起とリール胴体の間に前記帯状の突起にも前記リール胴体にも接しないように配置され、かつ、前記帯状の各突起の当該側壁の中心に対して張る中心角の内側に２対ずつ設けられていることを特徴とする釣り糸収納具。
【請求項５８】
請求項４８〜５７のいずれか１項に記載の釣り糸収納具において、前記両側に突起を有する少なくとも１つの側壁の外周からリール胴体の外周面までの距離、すなわち側壁の幅が、前記側壁の一方の側と他方の側とで異なることを特徴とする釣り糸収納具。
【請求項５９】
請求項５８に記載の釣り糸収納具において、前記側壁の両側の幅が、以下において第１の側壁幅とも称する側壁の外周部近傍に帯状でない突起がある側における幅よりも、以下において第２の側壁幅とも称する側壁の外周部近傍に帯状の突起がある側における幅の方が大きいことを特徴とする釣り糸収納具。
【請求項６０】
請求項４８〜５９のいずれか１項に記載の釣り糸収納具において、前記両側に突起を有する少なくとも１つの側壁の外周部近傍に帯状でない突起を有する側に１２個の帯状でない突起が配置されていることを特徴とする釣り糸収納具。
【請求項６１】
請求項４８〜６０のいずれか１項に記載の釣り糸収納具において、前記両側に突起を有する側壁は、４個の切り込み部を有することを特徴とする釣り糸収納具。
【請求項６２】
請求項６１に記載の釣り糸収納具において、前記前記切り込み部は、当該側壁の一方の側においてはその側にあるリール胴体部まで達しており、他方の側においてはその側にあるリール胴体部まで達していないことを特徴とする釣り糸収納具。
【請求項６３】
請求項６１または６２に記載の釣り糸収納具において、前記帯状の各突起の、その設けられている側壁の外周方向に図った周長の合計が、その設けられている側壁上の位置における前記切り込み部を除いた当該側壁の周方向寸法の１／２以上であることを特徴とする釣り糸収納具。
【請求項６４】
請求項１〜６３のいずれか１項に記載の釣り糸収納具において、前記釣り糸収納具が第１の収納ユニットと第２の収納ユニットの少なくとも２つの収納ユニットを有しており、前記第１の収納ユニットは請求項１〜６３のいずれか１項に記載の釣り糸収納具の特徴を有する収納ユニットであることを特徴とする釣り糸収納具。
【請求項６５】
請求項６４に記載の釣り糸収納具において、前記第２の収納ユニットが請求項１〜６３のいずれか１項に記載の釣り糸収納具の特徴を有する収納ユニットであることを特徴を有していることを特徴とする釣り糸収納具。
【請求項６６】
請求項６４に記載の釣り糸収納具において、前記第２の収納ユニットは一対の対向して配置された側壁を有しており、前記一対の側壁には突起が形成されていないことを特徴とする釣り糸収納具。
【請求項６７】
請求項６４〜６６のいずれか１項に記載の釣り糸収納具において、前記第１の収納ユニットと第２の収納ユニットの側壁とリール胴体と突起がすべて弾性体で形成されていることを特徴とする釣り糸収納具。
【請求項６８】
請求６４〜６７のいずれか１項に記載の釣り糸収納具において、前記第１の収納ユニットと第２の収納ユニットが、ユニット接合部品によって一体に接合されていることを特徴とする釣り糸収納具。
【請求項６９】
請求項６８に記載の釣り糸収納具において、前記ユニット接合部品が前記第１の収納ユニットのリール胴体の内側に形成されている穴もしくは空洞部と第２の収納ユニットの内側に形成されている穴もしくは空洞部に挿入して前記第１の収納ユニットと第２の収納ユニットとを保持することによって前記第１の収納ユニットと第２の収納ユニットとを一体に接合する部品であることを特徴とする釣り糸収納具。
【請求項７０】
請求項６７に記載の釣り糸収納具において、前記第１の収納ユニットと第２の収納ユニットが一体成形された弾性体で形成されていることを特徴とする釣り糸収納具。
【請求項７１】
請求項６４に記載の釣り糸収納具において、前記第２の収納ユニットが前記第１の収納ユニットとは異なる材質で形成されていることを特徴とする釣り糸収納具。
【請求項７２】
請求項７１に記載の釣り糸収納具において、前記第２の収納ユニットを形成している材質が、収納ユニットに形成された状態で剛体の性質を有する材質であることを特徴とする釣り糸収納具。
【請求項７３】
請求項７１または７２に記載の釣り糸収納具において、前記第１の収納ユニットを前記第２の収納ユニットと一体になるように着脱可能に取り付けることができる接続部が、前記第２の収納ユニットから延在する形で第２の収納ユニットと一体に形成されていることを特徴とする釣り糸収納具。
【請求項７４】
請求項７３に記載の釣り糸収納具において、前記接続部の一部に前記第１の収納ユニットに係合する凸部または凹部である取り付け部が形成されており、前記接続部を介して前記第２の収納ユニットに接続される前記第１の収納ユニットの側壁とリール胴体のいずれか一方または双方に前記接続部の一部に形成されている前記取り付け部に係合する凹部または凸部である取り付け係合部が形成されていることを特徴とする釣り糸収納具。
【請求項７５】
請求項６４〜７４のいずれか１項に記載の釣り糸収納具において、前記第２の収納ユニットの側壁が前記第１の収納ユニットが接続される側とは反対側に形成されている側壁１つであり、前記第２の収納ユニットの側壁と前記第１の収納ユニットの１つの側壁になっている側壁の外側面が対向配置されていることを特徴とする釣り糸収納具。
【請求項７６】
請求項６４〜７４のいずれか１項に記載の釣り糸収納具において、前記第２の収納ユニットが前記第１の収納ユニットの側壁とは別の対向して配置されている一対の側壁を有していることを特徴とする釣り糸収納具。
【請求項７７】
請求項６４〜７６のいずれか１項に記載の釣り糸収納具において、前記釣り糸収納具が前記第１の収納ユニットまたは前記第２の収納ユニットの２つの収納ユニットの他に第３の収納ユニットを有していることを特徴とする釣り糸収納具。
【請求項７８】
請求項７７に記載の釣り糸収納具において、前記第３の収納ユニットは前記第１の収納ユニットまたは前記第２の収納ユニットに一体に接続されていることを特徴とする釣り糸収納具。
【請求項７９】
請求項７７または７８に記載の釣り糸収納具において、前記第３の収納ユニットは請求項１〜６３のいずれか１項に記載の釣り糸収納具の特徴を有する収納ユニットであることを特徴とする釣り糸収納具。
【請求項８０】
請求項６４〜７９のうちの請求項８１を除くいずれか１項に記載の釣り糸収納具において、前記各異なる収納ユニット間の互いに隣接する２つの側壁の間に釣り針や鼻かんなどの釣り糸に付属する部品を挿入することができる幅を有する間隙が形成されるように前記各収納ユニットが形成されているか組み立てられていることを特徴とする釣り糸収納具。
【請求項８１】
請求項１〜８０のいずれか１項に記載の釣り糸収納具において、前記収納ユニットのリール胴体が中空形状であることを特徴とする釣り糸収納具。
【請求項８２】
請求項８１に記載の釣り糸収納具において、前記収納ユニットの少なくとも一方の側壁が中空形状であることを特徴とする釣り糸収納具。
【請求項８３】
請求項８２に記載の釣り糸収納具において、前記中空形状の側壁に蓋を取り付けることができる構造になっていることを特徴とする釣り糸収納具。
【請求項８４】
請求項１〜８３のいずれか１項に記載の釣り糸収納具において、前記釣り糸収納具は、その外側に面している少なくとも１つの前記側壁とリール胴体のいずれか一方または双方のリール胴体の外周より中心側の位置に凹部を有することを特徴とする釣り糸収納具。
【請求項８５】
請求項１〜８４のいずれか１項に記載の釣り糸収納具において、前記釣り糸収納具は一方の側から他方の側に順に、以下において収納ユニットＡ、収納ユニットＢ、収納ユニットＣとも称する３つの収納ユニットを有しており、収納ユニットＡと収納ユニットＢは隣り合っており、収納ユニットＢと収納ユニットＣは隣り合っており、前記３つの各収納ユニットはそれぞれ一対の側壁とその一対の側壁に接続されあるいは近接して配置されているリール胴体を有しており、前記収納ユニットＡの前記一対の側壁のうちの、以下において側壁ＡＢとも称する前記収納ユニットＢに近い方の側壁は、以下において側壁ＢＡとも称する前記収納ユニットＢの前記収納ユニットＡに近い方の側壁と同一物体の表と裏の面の関係にあり、前記収納ユニットＢの前記一対の側壁のうちの、以下において側壁ＢＣとも称する前記収納ユニットＣに近い方の側壁は、以下において側壁ＣＢとも称する前記収納ユニットＣの前記収納ユニットＢに近い方の側壁と同一物体の表と裏の面の関係にあり、前記側壁ＢＣと側壁ＣＢのいずれか一方又は双方には弾性体の突起が配置されており、側壁ＢＣと側壁ＣＢはその他の前記側壁とは異なる材料で形成されていることを特徴とする釣り糸収納具。
【請求項８６】
請求項８５に記載の釣り糸収納具において、前記収納ユニットＡの側壁ＡＢに対向して配置されている以下において側壁Ａとも称する側壁と、前記側壁ＡＢと、前記収納ユニットＡのリール胴体と、前記側壁ＢＡと前記収納ユニットＣの側壁ＣＢに対向して配置されている以下において側壁Ｃとも称する側壁と、前記側壁ＢＡと側壁Ｃを接続している接続部の少なくとも一部とが同一材料で一体成形技術を用いて一体に形成されていることを特徴とする釣り糸収納具。
【請求項８７】
請求項８５または８６に記載の釣り糸収納具において、前記側壁ＢＣと側壁ＣＢの少なくとも一方は、請求項２〜６３のいずれか１項に記載の側壁とリール胴体のいずれか一方又は双方の特徴を有する側壁であることを特徴とする釣り糸収納具。
【請求項８８】
請求項８５〜８７のいずれか１項に記載の釣り糸収納具において、前記側壁ＢＣおよび側壁ＣＢは、前記側壁Ａおよび側壁ＡＢおよび側壁ＢＡおよび側壁Ｃとは独立につくられて後に、前記側壁ＢＡと側壁Ｃの間にはめ込まれて前記収納ユニットＢと収納ユニットＣを形成することを特徴とする釣り糸収納具。
【請求項８９】
請求項８５〜８８のいずれか１項に記載の釣り糸収納具において、前記収納ユニットＢの側壁ＢＡと側壁ＢＣの間隔が前記収納ユニットＣの側壁ＣＢと側壁Ｃの間隔よりも広く、側壁ＢＣには前記帯状でない突起のみが形成されており、側壁ＣＢには前記帯状の突起と突起対が形成されていることを特徴とする釣り糸収納具。
【請求項９０】
請求項８５〜８９のいずれか１項に記載の釣り糸収納具において、前記側壁ＣＢと前記側壁ＢＣの少なくとも一方または双方に、釣り糸収納具にしたときにリール胴体の役割を果たす部分が一体成形で形成されていることを特徴とする釣り糸収納具。
【請求項９１】
請求項８５〜９０のいずれか１項に記載の釣り糸収納具において、前記側壁ＢＣと側壁ＣＢは、当該リール胴体のリール外周部から測った該側壁の幅が異なる幅であることを特徴とする釣り糸収納具。
【請求項９２】
請求項８５〜９１のいずれか１項に記載の釣り糸収納具において、前記側壁ＢＣと側壁ＣＢは、それに張力を加えて引き延ばして前記側壁ＢＡと側壁Ｃの間にはめ込んで釣り糸収納具を形成することができる側壁であることを特徴とする釣り糸収納具。
【請求項９３】
請求項８５〜９２のいずれか１項に記載の釣り糸収納具において、少なくとも側壁ＢＣと側壁ＣＢはシリコーンゴムで形成されていることを特徴とする釣り糸収納具。
【請求項９４】
請求項８５〜９３のいずれか１項に記載の釣り糸収納具において、前記釣り糸収納具を構成する前記側壁Ｃの裏側と前記側壁Ａの裏側の一方または双方に、前記収納具を取り付けることができる以下において収納具支持体とも称する物体を、前記釣り糸収納具の前記収納具支持体以外の少なくとも一部分が前記収納具支持体に対して回転可能な状態に接続することができることを特徴とする釣り糸収納具。
【請求項９５】
請求項９４に記載の釣り糸収納具において、前記釣り糸収納具の収納具支持体以外の部分と前記収納具支持体とを互いに回転可能に接続している手段がネジ締め手段を用いた手段であることを特徴とする釣り糸収納具。
【請求項９６】
請求項９４または９５に記載の釣り糸収納具において、前記釣り糸収納具の前記収納具支持体でない部分に凸部又は凹部を設け、前記収納具支持体を保持して前記凸部又は凹部を動かすことにより、前記収納具支持体に対して前記収納ユニットを回転させることができることを特徴とする釣り糸収納具。
【請求項９７】
請求項９６に記載の釣り糸収納具において、前記凸部又は凹部が、前記釣り糸収納具の収納具支持体とは反対側の面に放射状に形成した凸部又は凹部であることを特徴とする釣り糸収納具。
【請求項９８】
請求項８５〜９７のいずれか１項に記載の釣り糸収納具において、前記釣り糸収納具の一方の外表面と他方の外表面に、同一形状の、異なる二つの釣り糸収納具を接続することができる収納具接続手段を設けたことを特徴とする釣り糸収納具。
【請求項９９】
請求項９８に記載の釣り糸収納具において、前記収納具接続手段が、前記釣り糸収納具の前記収納具支持体とは反対側の外面と前記収納具支持体のいずれか一方または双方に設けた穴と前記収納具支持体と前記収納具支持体とは反対側の外面のいずれか一方または双方に前記穴に多少きつく抜き差し可能な寸法に形成した凸部とを形成し、１つの釣り糸収納具の前記凸部を他の釣り糸収納具の前記穴に着脱可能に挿入することによるものであることを特徴とする釣り糸収納具。
【請求項１００】
請求項９８に記載の釣り糸収納具において、前記収納具接続手段が、前記釣り糸収納具の前記収納具支持体とは反対側の外面と前記収納具支持体のいずれか一方または双方に設けたネジ穴部と前記収納具支持体と前記収納具支持体とは反対側の外面のいずれか一方または双方に前記ネジ穴部に契合させることができるネジ部を形成し、１つの釣り糸収納具の前記ネジ部を他の釣り糸収納具の前記ネジ穴部に着脱可能に挿入することによるものであることを特徴とする釣り糸収納具。
【請求項１０１】
請求項１〜６３のいずれか１項に記載の釣り糸収納具において、以下において第１の側壁とも称する少なくとも一対の側壁の間に前記第１の側壁とは、独立につくられた、あるいは、異なる材料でつくられた第２の側壁を少なくとも１つと前記第２の側壁の少なくとも１部に接続あるいは近接して配置されたリール胴体を有することを特徴とする釣り糸収納具。
【請求項１０２】
請求項１０１に記載の釣り糸収納具において、前記第２の側壁は互いに対向して配置されている一対の側壁であり、前記一対の第２の側壁の間にあるリール胴体は前記一対の第２の側壁と一体に形成されていることを特徴とする釣り糸収納具。
【請求項１０３】
請求項１０１または１０２に記載の釣り糸収納具において、少なくとも１つの前記第２の側壁に、前記第１の側壁に形成されている複数の弾性体の突起を通すことができる穴が設けられていることを特徴とする釣り糸収納具。
【請求項１０４】
請求項１０１〜１０３のいずれか１項に記載の釣り糸収納具において、一対の側壁で構成される前記第１の側壁はその一対の側壁のうちの各側壁が互いに着脱可能になっており、前記第１の側壁とは別につくられた前記第２の側壁を有する釣り糸収納具に着脱可能に装着して釣り糸収納具を形成していることを特徴とする釣り糸収納具。
【請求項１０５】
請求項１〜１０４に記載の釣り糸収納具において、前記弾性体が合成ゴムで、ショア硬度で５０以上の硬度を有する弾性体であることを特徴とする釣り糸収納具。
【請求項１０６】
請求項１０５に記載の釣り糸収納具において、前記合成ゴムがシリコーンゴムであることを特徴とする釣り糸収納具。
【請求項１０７】
請求項１〜１０４に記載の釣り糸収納具において、前記弾性体が天然ゴムを加工したものであることを特徴とする釣り糸収納具。
【請求項１０８】
請求項１〜１０７のいずれか１項に記載の釣り糸収納具において、前記釣り糸収納具の少なくとも１つの収納ユニットを形成している構成部分のうちの前記弾性体で形成されている構成部分以外の構成部分の少なくとも側壁あるいはリール胴体を含む部分の材質がプラスチックであることを特徴とする釣り糸収納具。
【請求項１０９】
請求項１〜１０７のいずれか１項に記載の釣り糸収納具において、前記釣り糸収納具の少なくとも１つの収納ユニットを形成している構成部分のうちの前記弾性体で形成されている構成部分以外の構成部分の少なくとも側壁あるいはリール胴体を含む部分の材質が金属であることを特徴とする釣り糸収納具。
【請求項１１０】
請求項１０９に記載の釣り糸収納具において、前記釣り糸収納具の少なくとも１つの収納ユニットを形成している構成部分のうちの前記弾性体で形成されている構成部分以外の構成部分の少なくとも側壁あるいはリール胴体を含む部分の材質である金属がアルミニウムを主成分とする金属であることを特徴とする釣り糸収納具。
【請求項１１１】
請求項１０９に記載の釣り糸収納具において、前記釣り糸収納具の少なくとも１つの収納ユニットを形成している構成部分のうちの前記弾性体で形成されている構成部分以外の構成部分の少なくとも側壁あるいはリール胴体を含む部分の材質である金属がチタンを含む合金であることを特徴とする釣り糸収納具。
【請求項１１２】
請求項１０９に記載の釣り糸収納具において、前記釣り糸収納具の少なくとも１つの収納ユニットを形成している構成部分のうちの前記弾性体で形成されている構成部分以外の構成部分の少なくとも側壁あるいはリール胴体を含む部分の材質である金属がマグネシウムを含む合金であることを特徴とする釣り糸収納具。
【請求項１１３】
請求項１〜１０７のいずれか１項に記載の釣り糸収納具において、前記釣り糸収納具の少なくとも１つの収納ユニットを形成している構成部分のうちの前記弾性体で形成されている構成部分以外の構成部分の少なくとも側壁あるいはリール胴体を含む部分の材質が紙を含むものであることを特徴とする釣り糸収納具。
【請求項１１４】
請求項１〜１１３のいずれか１項に記載の釣り糸収納具において、前記釣り糸収納具は、少なくとも３つ以上の部分に分解可能であるとともに、前記分解された少なくとも３つ以上の部分を釣り糸収納具に組み立てることができるものであることを特徴とする釣り糸収納具。
【発明の詳細な説明】
【０００１】
【発明の属する技術分野】
本発明は鮎釣りや渓流釣りなどの釣りに用いる釣り糸や針などの仕掛けを収納するための釣り糸収納具に関する。
【０００２】
【従来の技術】
鮎釣りや渓流釣りなどの魚釣りを行うときに用いる器具として、釣り糸、釣り竿やリール等の他に、目印、浮き、釣り針などを釣り糸に取り付けた仕掛けなどがある。この仕掛けは、釣りをするときに釣り竿などに装着し、釣りをしていないときは収納しておく必要がある。
【０００３】
釣り糸は長さが１０ｍを越えるものもあるので、通常使用時以外は収納具に収納しておくが、このときに仕掛け同士が接触して仕掛けが破損してしまったり釣り糸とからまったり、釣り糸を損傷したり切断してしまったりすることがある。そのため、仕掛けの収納の際は、仕掛け同士が接触してお互いを傷つけ合わないように収納することが重要である。また、仕掛け同士が接触して仕掛けが破損しなくても、目印などが絡み合って釣りを始めるときに仕掛けの収納部から素早く仕掛けを引き出すことが出来ないことがあるため、仕掛けの収納部は、前述の点と合わせて、出来るだけ仕掛け同士が接触しないような構造にすることが重要である。
【０００４】
図５３は従来より用いられている一般的な鮎釣りの仕掛けの例を説明する図である。
【０００５】
図５３で、符号１０１０は一般的な鮎釣りの仕掛け、１０１１は仕掛け１０１０の一部で釣りの際には主に水中に入っている水中糸、１０１２ａ，１０１２ｂ，１０１２ｃは水中糸１０１１にとりつけられた目印、１０１３は天井糸、１０１３ａは水中糸１０１１と天井糸１０１３を結ぶ結び目、１０１４は仕掛け１０１０を釣り竿（図示せず）にとりつけるための輪状になった天井糸先端部、１０１５は水中糸１０１１の先端に設けられた魚を引っかけるためのイカリ針、１０１６はオトリアユ（図示せず）をつけておくための逆さ釣り針、１０１７はオトリアユの鼻部に取り付ける鼻カンである。
【０００６】
図５３に示したように、水中糸１０１１には、目印１０１２ａ，１０１２ｂ，１０１２ｃが取り付けられており、水中糸１０１１の天井糸１０１３との結び目１０１３ａとは反対側の端部には、アユを釣るためのイカリ針１０１５とオトリアユをつけておくための鼻カン１０１７ならびに逆さ釣り針１０１６が取り付けられている。
【０００７】
図５３のような仕掛けを用いて釣りをする際は、天井糸先端部１０１４を釣り竿に結んで取り付けた後、逆さ釣り針１０１６にオトリアユのヒレを引っかけて、鼻カン１０１７をオトリアユの鼻部に取り付けて釣りをする。
【０００８】
図５３に示したような仕掛けの場合、水中糸１０１１は、その長さＬ１０が、たとえば、７〜１０ｍで、太さが、たとえば、直径が０．０５〜０．１０ｍｍで金属製であり、天井糸１０１３は、その長さＬ１１が、たとえば、１〜５ｍのものが一般的である。
【０００９】
図５３に示したように、鮎釣りなどの仕掛けは釣り糸の長さが非常に長く、糸に様々なものが付加されているものが一般的である。
【００１０】
このため、従来より、収納効率がよく、かつ、仕掛け同士が絡まないような釣り具の収納具が望まれている。
【００１１】
図５４〜図５６は従来の釣り具の収納具の例を説明する図で、図５４は収納具を一方の側からみた図、図５５は図５４の収納具を直線▲１▼−▲２▼の部分で切った断面図、図５６は図５４の矢印１０２７の方から見た図である。なお、図中の破線は他の構造物の裏側にあって見えない部分を説明するためのものである。
【００１２】
図５４〜図５６で、符号１０２０は収納具、１０２１ａ，１０２１ｂ，１０２１ｃ，１０２１ｄ，１０２１ｅ，１０２１ｆ，１０２１ｇ，１０２１ｈは水中糸や天井糸を引っかけるための切り込み部で、１０２１ａ〜ｄは外壁部１０２４の図示の位置に形成されている切り込み部、１０２１ｅ〜１０２１ｈは外壁部１０２４とは反対側にある外壁部１０２５に形成されている切り込み部、１０２２はイカリ針、逆さ釣り針、鼻カンなどを収納しておくための空洞部、１０２３は空洞部１０２２の蓋部、１０２４は切り込み部１０２１ａ，１０２１ｂ，１０２１ｃ，１０２１ｄを有する収納具１０２０の外壁部、１０２５は外壁部１０２４とは反対側にある切り込み部１０２１ｅ，１０２１ｆ，１０２１ｇ，１０２１ｈを有する収納具１０２０の外壁部、１０２６は外壁部１０２４および外壁部１０２５に挟まれた外周部である。
【００１３】
図５４で、空洞部１０２２は外壁部１０２４の側で外壁部１０２４の中心近傍に設けられており、蓋部１０２３は空洞部１０２２に係合するように作られている。また、図５５で、空洞部１０２２は外壁部１０２５までは貫通しておらず、外周部１０２６の中心部に形成されている。また、蓋部１０２３は空洞部１０２２の内部に挿入して固定されるように構成されている。
【００１４】
図５７〜図５９は従来の釣り具に収納具の釣り具を収納した状態を説明する図で、図５７は収納具を一方の側から見た図、図５８は図５７の収納具を符号▲３▼−▲４▼で示した直線の位置で切った断面図、図５９は図の矢印１０３７の方から見た図である。
【００１５】
図５７〜図５９で、図５４〜図５６と同じ符号のものは、図５４〜図５６と同じものを示している。また、図５７〜図５９で、符号１０３１は空洞部１０２２に収納してある逆さ釣り針や鼻カンなどの仕掛けの針部、１０３２は仕掛けの水中糸部や天井糸などの糸部、１０３３は天井糸先端部、１０３４ａ，１０３４ｂ，１０３４ｃは糸部１０３２の水中糸につけられた目印、１０３５は水中糸の鼻カンや針などが取り付けられている針部側の水中糸端部である。
【００１６】
図５７で水中糸端部１０３５は切り込み部１０２１ａおよび外壁部１０２４の外表面を通り空洞部１０２２に入っている。また、図５８で針部１０３１は空洞部１０２２に収納されており、水中糸端部１０３５は蓋部１０２３と空洞部１０２２の隙間から外壁部１０２４に出た後に、切り込み部１０２１ａを通って、外周部１０２６へと巻きつけられた後に、天井糸先端部１０３３を切り込み部１０２１ｃをに引っかけることによって仕掛けが収納具１０２０に固定されている。また、図５９において、水中糸１０３２は外周部１０２６に巻きつけられており、糸部１０３２の水中糸につけられた目印１０３４ａ，１０３４ｂ，１０３４ｃも糸部１０３２とともに外周部１０２６に巻きつけられて収納されている。
【００１７】
図５７〜図５９のように、図５４〜図５６に示したような収納具を用いて仕掛けを収納した場合に、空洞部１０２２に収納された針部１０３１の糸が緩んだ状態であったり、内部で逆さ釣り針等が外れてしまった場合に、糸や逆さ釣り針などが絡み合ったりして仕掛けが取り出せなくなってしまうばかりか、仕掛け自体が破損したり、複雑に絡み合ったりしてスムーズに使えなくなってしまうことがあった。また、糸部１０３２の水中糸を外周部１０２６に巻きつけた際に、糸部１０３２に目印１０３４ａ，１０３４ｂ，１０３４ｃがついていることによって、目印付近の水中糸や目印が絡み合ってしまい釣りを始めるときにすぐに仕掛けを引き出すことが出来ないばかりか、目印と糸が外周部に押しつけられる形で固定されているので、目印が水中糸を傷つけてしまい、水中糸が水中で折れたり、切れたりし易くなったり、切れてしまうということがあった。
【００１８】
図６０と図６１は、従来の釣り具の収納具の他の例を説明する図で、図６０は収納具の側面図、すなわち、糸を巻きつける部分に対して垂直にみた図で、図６１は図６０を矢印１０４５の方向からみた平面図である。
【００１９】
図６０、図６１で、符号１０４０は従来の釣り具の収納具、１０４１は仕掛けを巻きつけて固定するための外周部、１０４２は外周部１０４１の端部に設けられた比較的やわらかい素材で作られている柔軟外壁部、１０４３は外周部１０４１の柔軟外壁部１０４２とは反対側の端部に設けられた比較的固い素材で作られている硬質外壁部、１０４４ａおよび１０４４ｂは仕掛けの逆さ釣り針などを引っかけるためのスポンジ部、１０４５は矢印である。
【００２０】
図６０、図６１で、収納具１０４０は主に外周部１０４１と外壁部１０４２および１０４３によって構成されており、スポンジ部１０４４ａ，１０４４ｂは外周部１０４１上に設けられている。また、外壁部１０４２は外壁部１０４３よりも柔らかい素材で作られている。
【００２１】
図６２と図６３は、図６０と図６１に示した収納具に仕掛けを収納したときの状態を説明する図であり、図６２は収納具の糸を巻きつける部分に対して垂直にみた側面図で、図６３は図６２を矢印１０５４の方向からみた図である。
【００２２】
図６２と図６３で、図６０と図６１と同じ符号のものは、図６０と図６１と同じものを示しているものとする。また、図６２と図６３で、符号１０５１は収納する仕掛けの逆さ釣り針などの針部、１０５２は仕掛けの水中糸および天井糸などの糸部、１０５３ａ，１０５３ｂ，１０５３ｃは水中糸につけられた目印、１０５４は矢印、１０５５は外周部１０４１の曲率半径が小さくなっている端面部、１０５６は外周部１０４１の端面部１０５６と反対側の曲率半径が小さくなっている端面部である。
【００２３】
図６２で針部１０５１はスポンジ部１０４４ａに刺すことによって引っかけられて固定されており、糸部１０５２は外周部１０４１に巻きつけられて収納されており、目印１０５３ａ，１０５３ｂ，１０５３ｃは糸部１０５２とともに外周部１０４１に収納されている。また、図６３で針部１０５１は外周部１０４１の内部に入っている。
【００２４】
図６２と図６３のように、図６０と図６１に示したような収納具を用いて仕掛けを収納した場合、針部１０５１はスポンジ部１０４４ａに刺すことによって固定されているので、常に糸が張ってテンションがかけられている状態でないとうまく固定することが出来ず、針が抜けてしまい、水中糸１０５２と絡まったり、水中糸１０５２を傷つけてしまったりすることがあった。また、水中糸１０５２は水中糸１０５２を外周部１０４１に巻きつけた際に、水中糸１０５２に目印１０５３ａ，１０５３ｂ，１０５３ｃがついていることによって、目印付近の水中糸や目印が絡み合ってしまい釣りを始めるときにすぐに仕掛けを引き出すことが出来ないばかりか、目印と糸が外周部に押しつけられる状態で収納されているので、目印が水中糸を傷つけてしまい、水中糸が水中で折れたり、切れたりし易くなったり、切れてしまうということがあった。
【００２５】
図６４は図６２と図６３のように収納した後に取り出した仕掛けの例を説明する図である。
【００２６】
図６４において、符号１０６１ａ，１０６１ｂは折れ曲がった水中糸の屈折部である。
【００２７】
図６４のように、図６２と図６３のように、図６０と図６１に示したような収納具を用いて仕掛けを収納した場合、水中糸１０５１が端面部１０５５および１０５６に強いテンションをかけられて巻きつけられることによって、１０６１ａや１０６１ｂ等のように水中糸が折れてしまって水中で折れやすくなってしまうということがあった。
【００２８】
【発明が解決しようとする課題】
以上説明したように、従来の釣り具収納具では、仕掛け同士が絡まり合って釣りをする際に素早く収納具から出せなかったり、仕掛け同士が絡まり合うことによって仕掛けが破損してしまい、仕掛けを使用することができなかったり、使用中に壊れてしまうなどの問題があった。
【００２９】
そのため、従来から、釣り具の仕掛けを安全にかつコンパクトに収納でき、使用する際に絡まったりせずに素早く使用できる釣り具の収納具が強く望まれていた。
【００３０】
本発明はこのような点に鑑みて成されたものであり、本発明の目的は、釣り具の仕掛けを傷つけることなく安全に、かつ、コンパクトに収納することができるうえ、容易に取り扱うことが出来て、使用する際に素早くかつ容易に仕掛を取り出すことが出来るような釣り糸収納具を提供することにある。
【００３１】
【課題を解決するための手段】
本発明の目的の達成を図るため、本発明の釣り糸収納具は、釣り糸を収納することができる少なくとも１つの収納ユニットを有しており、前記収納ユニットは、少なくとも、対向して配置されている一対の側壁と少なくとも１つの前記側壁に配置されている複数の弾性体の突起とを有していることを特徴としている
【００３２】
本発明の実施の形態例としての釣り糸収納具は、前記収納ユニットが前記対向して配置されている少なくとも一対の側壁の少なくとも一部に接続あるいは近接して配置されており釣り糸を巻き付けることが出来るリール胴体を有しており、前記少なくとも１つの収納ユニットの側壁に配置されている前記突起は、前記少なくとも一対の側壁のうちの少なくとも一方の側壁の、以下において側壁内部ともいう位置、すなわち、その側壁の外周近傍で、かつ、外周よりも前記収納ユニットの内側すなわち前記側壁上で前記リール胴体に近い方に寄った複数ヶ所の位置に、前記一方の側壁からその側壁に対向配置されている他方の側壁の方向に向けて突き出している弾性体の突起として形成されており、前記一対の側壁と前記弾性体の突起と前記リール胴体とで前記リール胴体に巻き付けられた釣り糸を収納して保持することができる釣り糸収納部を形成していることを特徴としている。
【００３３】
本発明の特に強調すべき特徴は、釣り糸を収納する釣り糸収納部に、側壁の外周近傍に弾性体の突起を有する側壁を少なくとも１つ用いるところにあり、この弾性体の突起の効果によって、小型の釣り糸収納具においても、たとえば鮎釣りに用いられる水中糸のように細いが硬くて折れやすくほどけやすい性質を有する釣り糸を釣り糸収納具のたとえばリール胴体に巻き付けておいても自然にほどけることがなく、しかも、釣り糸を巻き付けるときにも不自然な反力を生じて巻きにくく感じることがないような、そして、釣り糸を引き出したいときには素早く、正確に引き出せるような、信頼性が高く、使い勝手の良い、安価な釣り糸収納具を実現可能にするものである。
【００３４】
以下において、本発明のいくつかの実施の形態例の特徴を説明するが、上記のように、本発明は、これらの各特徴を適宜重畳した特徴を有する実施の形態例が可能なものである。
【００３５】
本発明の目的の特に十分なる達成を図るため、本発明の釣り糸収納具は、以下における詳細な説明からも明らかなように、多くの実施の形態を可能にするもので、以下のような特徴を有する多くの実施の形態例を可能とし、さらに、それらの多くの実施の形態例を適宜組み合わせた実施の形態例を可能とするものである。
【００３６】
本発明の実施の形態例としての釣り糸収納具は、前記少なくとも一つの収納ユニットの前記リール胴体は、釣り糸を巻き付ける胴体部分の外周形状が円形または楕円形または多角形であることを特徴としている。
【００３７】
本発明の実施の形態例としての釣り糸収納具は、前記少なくとも一つの収納ユニットの少なくとも１つの前記側壁の主要部分が平板状で、その側壁の外周形状が円形または楕円形または多角形であることを特徴としている。
【００３８】
本発明の実施の形態例としての釣り糸収納具は、前記少なくとも一つの収納ユニットの少なくとも１つの側壁に少なくとも１つの穴が形成されていることを特徴としている。
【００３９】
本発明の実施の形態例としての釣り糸収納具は、前記少なくとも一つの収納ユニットの前記少なくとも１つの側壁に少なくとも１つの切り込み部が形成されていることを特徴としている。
【００４０】
本発明の実施の形態例としての釣り糸収納具は、前記切り込み部の少なくとも１つがそれが形成されている側壁の外周部から前記リール胴体の位置あるいは前記リール胴体の位置の近傍まで形成されている深い切り込み部であることを特徴としている。
【００４１】
本発明の実施の形態例としての釣り糸収納具は、前記少なくとも１つの側壁に形成されている前記深い切り込み部の数が２〜４個であることを特徴としている。
【００４２】
本発明の実施の形態例としての釣り糸収納具は、前記少なくとも一つの収納ユニットの少なくとも一つの側壁が弾性体であることを特徴としている。
【００４３】
本発明の実施の形態例としての釣り糸収納具は、前記少なくとも一つの収納ユニットの前記リール胴体が弾性体であることを特徴としている。
【００４４】
本発明の実施の形態例としての釣り糸収納具は、前記少なくとも一つの収納ユニットの、少なくとも１つの側壁の前記側壁に形成されている弾性体の突起が一体成形技術を用いて、その形成されている側壁と一体に形成されていることを特徴としている。
【００４５】
本発明の実施の形態例としての釣り糸収納具は、少なくとも１つの前記側壁はリール胴体と一体に形成されていることを特徴としている。
【００４６】
本発明の実施の形態例としての釣り糸収納具は、前記リール胴体は着脱可能な少なくとも２つの部分から構成されていることを特徴としている。
【００４７】
本発明の実施の形態例としての釣り糸収納具は、少なくとも１つの前記側壁は、前記釣り糸収納具に着脱可能な構造になっていることを特徴としている。
【００４８】
本発明の実施の形態例としての釣り糸収納具は、少なくとも一対の対向して配置されている前記側壁に形成されている弾性体の突起が、前記一対の側壁のうちの片方の側壁にのみ形成されていることを特徴としている。
【００４９】
本発明の実施の形態例としての釣り糸収納具は、少なくとも１つの前記弾性体の突起の長さが前記一対の対向して配置されている両方の側壁の間隔の２分の１以上の長さであることを特徴としている。
【００５０】
本発明の実施の形態例としての釣り糸収納具は、少なくとも１つの前記弾性体の突起の長さが前記一対の対向して配置されている両方の側壁の間隔におおよそ等しい長さであることを特徴としている。
【００５１】
本発明の実施の形態例としての釣り糸収納具は、少なくとも１つの前記弾性体の突起の長さが前記一対の対向して配置されている両方の側壁の間隔よりも０．０５〜０．５ｍｍ短い長さであることを特徴としている。
【００５２】
本発明の実施の形態例としての釣り糸収納具は、前記側壁に形成されている弾性体の突起が、対向して配置されている前記一対の側壁の、以下において第１の側壁とも称する一方の側壁と以下において第２の側壁とも称する他方の側壁の両方の側壁に形成されていることを特徴としている。
【００５３】
本発明の実施の形態例としての釣り糸収納具は、少なくとも４本の前記突起の長さが前記両方の側壁の間隔の２分の１よりも長いことを特徴としている。
【００５４】
本発明の実施の形態例としての釣り糸収納具は、少なくとも４本の前記突起の長さが前記両方の側壁の間隔におおよそ等しい長さであることを特徴としている。
【００５５】
本発明の実施の形態例としての釣り糸収納具は、少なくとも４本の前記突起の長さが前記両方の側壁の間隔よりも０．０５〜０．５ｍｍ短い長さであることを特徴としている。
【００５６】
本発明の実施の形態例としての釣り糸収納具は、前記両方の側壁に形成されている弾性体の突起の少なくとも一対は、前記両方の側壁の対向する位置に配置されていることを特徴としている。
【００５７】
本発明の実施の形態例としての釣り糸収納具は、前記両方の側壁の対向する位置に形成されている双方の弾性体の突起の合計した長さが前記両方の側壁の間隔の２分の１よりも長いことを特徴としている。
【００５８】
本発明の実施の形態例としての釣り糸収納具は、前記両方の側壁の対向する位置に形成されている双方の弾性体の突起の合計した長さが前記両方の側壁の間隔におおよそ等しい長さであることを特徴としている。
【００５９】
本発明の実施の形態例としての釣り糸収納具は、前記両方の側壁の対向する位置に形成されている双方の弾性体の突起の合計した長さが前記両方の側壁の間隔よりも０．０５〜０．５ｍｍ短い長さであることを特徴としている。
【００６０】
本発明の実施の形態例としての釣り糸収納具は、少なくとも一対の対向して配置されている第１と第２の側壁のそれぞれに形成されている弾性体の突起が、前記第１の側壁に形成されている弾性体の突起と前記第２の側壁に形成されている弾性体の突起が、側壁の周方向において交互に配置されるように形成されていることを特徴としている。
【００６１】
本発明の実施の形態例としての釣り糸収納具は、前記突起が棒状であることを特徴としている。
【００６２】
本発明の実施の形態例としての釣り糸収納具は、前記突起が、その先端近傍の径が付け根近傍の径よりも細くなっている突起であることを特徴としている。
【００６３】
本発明の実施の形態例としての釣り糸収納具は、前記突起が扁平状であることを特徴としている。
【００６４】
本発明の実施の形態例としての釣り糸収納具は、前記突起の幅寸法と厚み寸法のいずれか一方または双方が、その付け根部分近傍よりも先端部近傍において小さくなっていることを特徴としている。
【００６５】
本発明の実施の形態例としての釣り糸収納具は、少なくとも一つの前記側壁に形成されている前記弾性体の突起の少なくとも２つは、当該側壁におけるその突起の付け根部分の隙間が０または当該２つの突起の間の隙間が０または前記両突起の付け根部分の外接円の直径の平均値より小さい突起対であることを特徴としている。
【００６６】
本発明の実施の形態例としての釣り糸収納具は、少なくとも１つの収納ユニットに前記突起対が少なくとも２対設けられていることを特徴としている。
【００６７】
本発明の実施の形態例としての釣り糸収納具は、少なくとも１つの収納ユニットに前記突起対と前記突起の付け根部分の外接円の直径以上の距離だけ隣の突起から離れて形成されている単独の突起とが設けられていることを特徴としている。
【００６８】
本発明の実施の形態例としての釣り糸収納具は、前記少なくとも一つの収納ユニットの少なくとも１つの側壁に形成されている帯状でない弾性体の前記単独の突起の中心位置あるいは突起対の中心位置が前記収納ユニットの側壁の周方向において等間隔になるように当該突起が配置されていることを特徴としている。
【００６９】
本発明の実施の形態例としての釣り糸収納具は、前記弾性体の突起が、前記突起が設けられている位置における側壁表面の法線に対して前記突起の中心線が所定の角度θ１だけ前記釣り糸収納部の内側に向けて形成されていることを特徴としている。
【００７０】
本発明の実施の形態例としての釣り糸収納具は、前記所定の角度θ１が０〜３０度であることを特徴としている。
【００７１】
本発明の実施の形態例としての釣り糸収納具は、前記突起は、それが設けられている側壁の中心点と前記突起の付け根部分の中心点と前記突起の中心線上の先端とを含む断面において、前記突起の、その配置されている側壁の径方向外側と内側の輪郭の平均接線が、所定の角度θ２をなして前記突起の先端部分が付け根部分より細くなるように形成されていることを特徴としている。
【００７２】
本発明の実施の形態例としての釣り糸収納具は、前記所定の角度θ２が３０度以下であることを特徴としている。
【００７３】
本発明の実施の形態例としての釣り糸収納具は、少なくとも１つの収納ユニットの前記弾性体の突起の太さは、前記突起の長さ方向の中央部の平均径が０．２〜２ｍｍであることを特徴としている。
【００７４】
本発明の実施の形態例としての釣り糸収納具は、少なくとも１つの収納ユニットの側壁に設けられている前記突起のうちの過半数の突起の長さ方向の中心線が、前記側壁の外周に沿った一方の方向に所定の角度θ３だけ傾いて形成されていることを特徴としている。
【００７５】
本発明の実施の形態例としての釣り糸収納具は、前記所定の角度θ３が３０度より大きくないことを特徴としている。
【００７６】
本発明の実施の形態例としての釣り糸収納具は、前記突起の少なくとも１つが、その配置されている側壁から突起している方向の寸法よりも前記側壁の周方法の寸法が大きい、以下において帯状とも称する形状の突起であることを特徴としている。
【００７７】
本発明の実施の形態例としての釣り糸収納具は、前記帯状の突起の断面積が、その付け根近傍、におけるよりも突起の先端部近傍における方が小さいことを特徴としている。
【００７８】
本発明の実施の形態例としての釣り糸収納具は、少なくとも１つの前記側壁の同一側に前記帯状の突起が複数個設けられていることを特徴としている。
【００７９】
本発明の実施の形態例としての釣り糸収納具は、少なくとも１つの前記側壁の同一側に設けられている帯状の突起の数が４個であることを特徴としている。
【００８０】
本発明の実施の形態例としての釣り糸収納具は、少なくとも１つの前記側壁の同一側に、以下において突起Ａともいう前記帯状の突起と、以下において突起Ｂともいう帯状でなくて前記突起の各特徴のいずれかに記載の突起の特徴を有する突起とが設けられていることを特徴としている。
【００８１】
本発明の実施の形態例としての釣り糸収納具は、前記弾性体の突起を有する側壁のうちの少なくとも１つの側壁は、その一方の側と他方の側の両側に、前記いずれかの特徴を有する突起をそれぞれ複数個有することを特徴としている。
【００８２】
本発明の実施の形態例としての釣り糸収納具は、一方の側と他方の側の両側に突起を有する少なくとも１つの前記側壁は、リール胴体と一体に形成されていることを特徴としている。
【００８３】
本発明の実施の形態例としての釣り糸収納具は、前記側壁に一体に形成されているリール胴体は、前記側壁の一方の側と他方の側の両方に設けられていることを特徴としている。
【００８４】
本発明の実施の形態例としての釣り糸収納具は、前記側壁の一方の側に形成されているリール胴体と他方の側に形成されているリール胴体は、前記側壁の法線方向の寸法が異なることを特徴としている。
【００８５】
本発明の実施の形態例としての釣り糸収納具は、両側に突起を有する少なくとも１つの前記側壁の一方の側に設けられている突起と他方の側に設けられている突起の間隔が異なることを特徴としている。
【００８６】
本発明の実施の形態例としての釣り糸収納具は、両側に突起を有する少なくとも１つの前記側壁の一方の側に設けられている突起と他方の側に設けられている突起の形状と寸法が異なることを特徴としている。
【００８７】
本発明の実施の形態例としての釣り糸収納具は、両側に突起を有する少なくとも１つの前記側壁の一方の側には帯状でない突起のみが設けられており、他方の側には少なくとも２つの帯状の突起が設けられていることを特徴としている。
【００８８】
本発明の実施の形態例としての釣り糸収納具は、両側に突起を有する少なくとも１つの前記側壁は、その外周部近傍に少なくとも２つの突起を有することを特徴としている。
【００８９】
本発明の実施の形態例としての釣り糸収納具は、両側に突起を有する少なくとも１つの前記側壁は、一方の側には帯状でない突起を有し、他方の側には、少なくとも４つの帯状の突起を側壁外周部近傍に有するとともに、前記外周部近傍に設けられた帯状の突起よりもリール胴体に近い方に近接して配置された前記突起対を少なくとも２組有する側壁であることを特徴としている。
【００９０】
本発明の実施の形態例としての釣り糸収納具は、前記突起対は、前記帯状の突起とリール胴体の間に前記帯状の突起にも前記リール胴体にも接しないように配置され、かつ、前記帯状の各突起の当該側壁の中心に対して張る中心角の内側に２対ずつ設けられていることを特徴としている。
【００９１】
本発明の実施の形態例としての釣り糸収納具は、前記両側に突起を有する少なくとも１つの側壁の外周からリール胴体の外周面までの距離、すなわち側壁の幅が、前記側壁の一方の側と他方の側とで異なることを特徴としている。
【００９２】
本発明の実施の形態例としての釣り糸収納具は、前記側壁の両側の幅が、以下において第１の側壁幅とも称する側壁の外周部近傍に帯状でない突起がある側における幅よりも、以下において第２の側壁幅とも称する側壁の外周部近傍に帯状の突起がある側における幅の方が大きいことを特徴としている。
【００９３】
本発明の実施の形態例としての釣り糸収納具は、前記両側に突起を有する少なくとも１つの側壁の外周部近傍に帯状でない突起を有する側に１２個の帯状でない突起が配置されていることを特徴としている。
【００９４】
本発明の実施の形態例としての釣り糸収納具は、前記両側に突起を有する側壁は、４個の切り込み部を有することを特徴としている。
【００９５】
本発明の実施の形態例としての釣り糸収納具は、前記前記切り込み部は、当該側壁の一方の側においてはその側にあるリール胴体部まで達しており、他方の側においてはその側にあるリール胴体部まで達していないことを特徴としている。
【００９６】
本発明の実施の形態例としての釣り糸収納具は、前記帯状の各突起の周長の合計が、その設けられている側壁上の位置における前記切り込み部を除いた当該側壁の周方向寸法の１／２以上であることを特徴としている。
【００９７】
本発明の実施の形態例としての釣り糸収納具は、前記釣り糸収納具が第１の収納ユニットと第２の収納ユニットの少なくとも２つの収納ユニットを有しており、前記第１の収納ユニットは前記各特徴のいずれかに記載の釣り糸収納具の特徴を有する収納ユニットであることを特徴としている。
【００９８】
本発明の実施の形態例としての釣り糸収納具は、前記第２の収納ユニットが前記実施の形態例のいずれかに記載の釣り糸収納具の特徴を有する収納ユニットであることを特徴を有していることを特徴としている。
【００９９】
本発明の実施の形態例としての釣り糸収納具は、前記第２の収納ユニットは一対の対向して配置された側壁を有しており、前記一対の側壁には突起が形成されていないことを特徴としている。
【０１００】
本発明の実施の形態例としての釣り糸収納具は、前記第１の収納ユニットと第２の収納ユニットの側壁とリール胴体と突起がすべて弾性体で形成されていることを特徴としている。
【０１０１】
本発明の実施の形態例としての釣り糸収納具は、前記第１の収納ユニットと第２の収納ユニットが、ユニット接合部品によって一体に接合されていることを特徴としている。
【０１０２】
本発明の実施の形態例としての釣り糸収納具は、前記ユニット接合部品が前記第１の収納ユニットのリール胴体の内側に形成されている穴もしくは空洞部と第２の収納ユニットの内側に形成されている穴もしくは空洞部に挿入して前記第１の収納ユニットと第２の収納ユニットとを保持することによって前記第１の収納ユニットと第２の収納ユニットとを一体に接合する部品であることを特徴としている。
【０１０３】
本発明の実施の形態例としての釣り糸収納具は、前記第１の収納ユニットと第２の収納ユニットが一体成形された弾性体で形成されていることを特徴としている。
【０１０４】
本発明の実施の形態例としての釣り糸収納具は、前記第２の収納ユニットが前記第１の収納ユニットとは異なる材質で形成されていることを特徴としている。
【０１０５】
本発明の実施の形態例としての釣り糸収納具は、前記第２の収納ユニットを形成している材質が、収納ユニットに形成された状態で剛体の性質を有する材質であることを特徴としている。
【０１０６】
本発明の実施の形態例としての釣り糸収納具は、前記第１の収納ユニットを前記第２の収納ユニットと一体になるように着脱可能に取り付けることができる接続部が、前記第２の収納ユニットから延在する形で第２の収納ユニットと一体に形成されていることを特徴としている。
【０１０７】
本発明の実施の形態例としての釣り糸収納具は、前記接続部の一部に前記第１の収納ユニットに係合する凸部または凹部である取り付け部が形成されており、前記接続部を介して前記第２の収納ユニットに接続される前記第１の収納ユニットの側壁とリール胴体のいずれか一方または双方に前記接続部の一部に形成されている前記取り付け部に係合する凹部または凸部である取り付け係合部が形成されていることを特徴としている。
【０１０８】
本発明の実施の形態例としての釣り糸収納具は、前記第２の収納ユニットの側壁が前記第１の収納ユニットが接続される側とは反対側に形成されている側壁１つであり、前記第２の収納ユニットの側壁と前記第１の収納ユニットの１つの側壁になっている側壁の外側面が対向配置されていることを特徴としている。
【０１０９】
本発明の実施の形態例としての釣り糸収納具は、前記第２の収納ユニットが前記第１の収納ユニットの側壁とは別の対向して配置されている一対の側壁を有していることを特徴としている。
【０１１０】
本発明の実施の形態例としての釣り糸収納具は、前記釣り糸収納具が前記第１の収納ユニットまたは前記第２の収納ユニットの２つの収納ユニットの他に第３の収納ユニットを有していることを特徴としている。
【０１１１】
本発明の実施の形態例としての釣り糸収納具は、前記第３の収納ユニットは前記第１の収納ユニットまたは前記第２の収納ユニットに一体に接続されていることを特徴としている。
【０１１２】
本発明の実施の形態例としての釣り糸収納具は、前記第３の収納ユニットは前記実施の形態例のいずれかに記載の釣り糸収納具の特徴を有する収納ユニットであることを特徴としている。
【０１１３】
本発明の実施の形態例としての釣り糸収納具は、前記各異なる収納ユニット間の互いに隣接する２つの側壁の間に釣り針や鼻かんなどの釣り糸に付属する部品を挿入することができる幅を有する間隙が形成されるように前記各収納ユニットが形成されているか組み立てられていることを特徴としている。
【０１１４】
本発明の実施の形態例としての釣り糸収納具は、前記収納ユニットのリール胴体が中空形状であることを特徴としている。
【０１１５】
本発明の実施の形態例としての釣り糸収納具は、前記収納ユニットの少なくとも一方の側壁が中空形状であることを特徴としている。
【０１１６】
本発明の実施の形態例としての釣り糸収納具は、前記中空形状の側壁に蓋を取り付けることができる構造になっていることを特徴としている。
【０１１７】
本発明の実施の形態例としての釣り糸収納具は、前記釣り糸収納具は、その外側に面している少なくとも１つの前記側壁とリール胴体のいずれか一方または双方のリール胴体の外周より中心側の位置に凹部を有することを特徴としている。
【０１１８】
本発明の実施の形態例としての釣り糸収納具は、前記釣り糸収納具は一方の側から他方の側に順に、以下において収納ユニットＡ、収納ユニットＢ、収納ユニットＣとも称する３つの収納ユニットを有しており、収納ユニットＡと収納ユニットＢは隣り合っており、収納ユニットＢと収納ユニットＣは隣り合っており、前記３つの各収納ユニットはそれぞれ一対の側壁とその一対の側壁に接続されあるいは近接して配置されているリール胴体を有しており、前記収納ユニットＡの前記一対の側壁のうちの、以下において側壁ＡＢとも称する前記収納ユニットＢに近い方の側壁は、以下において側壁ＢＡとも称する前記収納ユニットＢの前記収納ユニットＡに近い方の側壁と同一物体の表と裏の面の関係にあり、前記収納ユニットＢの前記一対の側壁のうちの、以下において側壁ＢＣとも称する前記収納ユニットＣに近い方の側壁は、以下において側壁ＣＢとも称する前記収納ユニットＣの前記収納ユニットＢに近い方の側壁と同一物体の表と裏の面の関係にあり、前記側壁ＢＣと側壁ＣＢのいずれか一方又は双方には弾性体の突起が配置されており、側壁ＢＣと側壁ＣＢはその他の前記側壁とは異なる材料で形成されていることを特徴としている。
【０１１９】
本発明の実施の形態例としての釣り糸収納具は、前記収納ユニットＡの側壁ＡＢに対向して配置されている以下において側壁Ａとも称する側壁と、前記側壁ＡＢと、前記収納ユニットＡのリール胴体と、前記側壁ＢＡと前記収納ユニットＣの側壁ＣＢに対向して配置されている以下において側壁Ｃとも称する側壁と、前記側壁ＢＡと側壁Ｃを接続している接続部の少なくとも一部とが同一材料で一体成形技術を用いて一体に形成されていることを特徴としている。
【０１２０】
本発明の実施の形態例としての釣り糸収納具は、前記側壁ＢＣと側壁ＣＢの少なくとも一方は前記実施の形態例のいずれかに記載の側壁とリール胴体のいずれか一方又は双方の特徴を有する側壁であることを特徴としている。
【０１２１】
本発明の実施の形態例としての釣り糸収納具は、前記側壁ＢＣおよび側壁ＣＢは、前記側壁Ａおよび側壁ＡＢおよび側壁ＢＡおよび側壁Ｃとは独立につくられて後に、前記側壁ＢＡと側壁Ｃの間にはめ込まれて前記収納ユニットＢと収納ユニットＣを形成することを特徴としている。
【０１２２】
本発明の実施の形態例としての釣り糸収納具は、前記収納ユニットＢの側壁ＢＡと側壁ＢＣの間隔が前記収納ユニットＣの側壁ＣＢと側壁Ｃの間隔よりも広く、側壁ＢＣには前記帯状でない突起のみが形成されており、側壁ＣＢには前記帯状の突起と突起対が形成されていることを特徴としている。
【０１２３】
本発明の実施の形態例としての釣り糸収納具は、前記側壁ＣＢと前記側壁ＢＣの少なくとも一方または双方に、釣り糸収納具にしたときにリール胴体の役割を果たす部分が一体成形で形成されていることを特徴としている。
【０１２４】
本発明の実施の形態例としての釣り糸収納具は、前記側壁ＢＣと側壁ＣＢは、当該リール胴体のリール外周部から測った該側壁の幅が異なる幅であることを特徴としている。
【０１２５】
本発明の実施の形態例としての釣り糸収納具は、前記側壁ＢＣと側壁ＣＢは、それに張力を加えて引き延ばして前記側壁ＢＡと側壁Ｃの間にはめ込んで釣り糸収納具を形成することができる側壁であることを特徴としている。
【０１２６】
本発明の実施の形態例としての釣り糸収納具は、少なくとも側壁ＢＣと側壁ＣＢはシリコーンゴムで形成されていることを特徴としている。
【０１２７】
本発明の実施の形態例としての釣り糸収納具は、前記釣り糸収納具を構成する前記側壁Ｃの裏側と前記側壁Ａの裏側の一方または双方に、前記収納具を取り付けることができる、以下において収納具支持体とも称する物体を、前記釣り糸収納具の前記収納具支持体以外の少なくとも一部分が前記収納具支持体に対して回転可能な状態に接続したことを特徴としている。
【０１２８】
本発明の実施の形態例としての釣り糸収納具は、前記釣り糸収納具の収納具支持体以外の部分と前記収納具支持体とを互いに回転可能に接続している手段がネジ締め手段を用いた手段であることを特徴としている。
【０１２９】
本発明の実施の形態例としての釣り糸収納具は、前記釣り糸収納具の前記収納具支持体でない部分に凸部又は凹部を設け、前記収納具支持体を保持して前記凸部又は凹部を動かすことにより、前記収納具支持体に対して前記収納ユニットを回転させることができることを特徴としている。
【０１３０】
本発明の実施の形態例としての釣り糸収納具は、前記凸部又は凹部が、前記釣り糸収納具の収納具支持体とは反対側の面に放射状に形成した凸部又は凹部であることを特徴としている。
【０１３１】
本発明の実施の形態例としての釣り糸収納具は、前記釣り糸収納具の一方の外表面と他方の外表面に、同一形状の、異なる二つの釣り糸収納具を接続することができる収納具接続手段を設けたことを特徴としている。
【０１３２】
本発明の実施の形態例としての釣り糸収納具は、前記収納具接続手段が、前記釣り糸収納具の前記収納具支持体とは反対側の外面と前記収納具支持体のいずれか一方または双方に設けた接続穴と前記収納具支持体と前記収納具支持体とは反対側の外面のいずれか一方または双方に前記接続穴に多少きつく抜き差し可能な寸法に形成した接続用凸部とを形成し、１つの釣り糸収納具の前記接続用凸部を他の釣り糸収納具の前記接続穴に着脱可能に挿入することによるものであることを特徴としている。
【０１３３】
本発明の実施の形態例としての釣り糸収納具は、前記収納具接続手段が、前記釣り糸収納具の前記収納具支持体とは反対側の外面と前記収納具支持体のいずれか一方または双方に設けたネジ穴部と前記収納具支持体と前記収納具支持体とは反対側の外面のいずれか一方または双方に前記ネジ穴部に契合させることができるネジ部を形成し、１つの釣り糸収納具の前記ネジ部を他の釣り糸収納具の前記ネジ穴部に着脱可能に挿入することによるものであることを特徴としている。
【０１３４】
本発明の実施の形態例としての釣り糸収納具は、以下において第１の側壁とも称する前記少なくとも一対の側壁の間に前記第１の側壁とは、独立につくられた、あるいは異なる材料でつくられた第２の側壁を少なくとも１つと前記第２の側壁の少なくとも１部に接続あるいは近接して配置されたリール胴体を有することを特徴としている。
【０１３５】
本発明の実施の形態例としての釣り糸収納具は、前記第２の側壁は互いに対向して配置されている一対の側壁であり、前記一対の第２の側壁の間にあるリール胴体は前記一対の第２の側壁と一体に形成されていることを特徴としている。
【０１３６】
本発明の実施の形態例としての釣り糸収納具は、少なくとも１つの前記第２の側壁に、前記第１の側壁に形成されている複数の弾性体の突起を通すことができる穴が設けられていることを特徴としている。
【０１３７】
本発明の実施の形態例としての釣り糸収納具は、一対の側壁で構成される前記第１の側壁は、その一対の側壁のうちの各側壁が互いに着脱可能になっており、前記第１の側壁とは別につくられた前記第２の側壁を有する釣り糸収納具に着脱可能に装着して釣り糸収納具を形成していることを特徴としている。
【０１３８】
本発明の実施の形態例としての釣り糸収納具は、前記弾性体が合成ゴムで、ショア硬度で５０以上の硬度を有する弾性体であることを特徴としており、その好適な材料の例としてシリコーンゴムがある。
【０１３９】
本発明の実施の形態例としての釣り糸収納具は、前記弾性体の材料に天然ゴムを加工したものを用いることができる。
【０１４０】
本発明の実施の形態例としての釣り糸収納具は、前記釣り糸収納具の少なくとも１つの収納ユニットを形成している構成部分のうちの前記弾性体で形成されている構成部分以外の構成部分の少なくとも側壁あるいはリール胴体を含む部分の好適な材質として、プラスチックやアルミニウムを主成分とする金属やチタンを含む合金やマグネシウムを含む合金を用いることができる。これらの材料を用いることによって、量産加工が容易で、使い勝手の良い、軽い、信頼性の高い、商品価値を高めるような形状と着色が可能な釣り糸収納具を安価に実現することができる。
【０１４１】
本発明の実施の形態例としての釣り糸収納具は、前記釣り糸収納具の少なくとも１つの収納ユニットを形成している構成部分のうちの前記弾性体で形成されている構成部分以外の構成部分の少なくとも側壁あるいはリール胴体を含む部分の好適な材質として、紙を含むものを用いることができる。
【０１４２】
これらの紙やアルミニウムなどの材料は、環境保護などの観点からのリサイクルにも好適な材料であり、この面での効果を発揮するものである。
【０１４３】
【発明の実施の形体】
以下、図面を参照して本発明の実施の形態の例について説明する。なお、説明に用いる各図は本発明の例を理解できる程度に各構成成分の寸法、形状、配置関係などを概略的に示してある。そして本発明の説明の都合上、部分的に拡大率を変えて図示する場合もあり、本発明の例の説明に用いる図は、必ずしも実施例などの実物や記述と相似形でない場合もある。また、各図において、同様な構成成分については同一の番号を付けて示し、重複する説明を省略することもある。
【０１４４】
また、以下の説明において、釣り糸とは、釣り糸自体を説明する場合には釣り糸そのものを意味する場合もあり、釣り糸に目印や釣などを取り付けてある仕掛を説明する場合に、釣り糸自体を含めた仕掛全体を意味する場合もある。誤解の防止が重要な場合には個別の名称を用いる場合もある。
【０１４５】
図１は本発明の実施の形態の一例としての釣り糸収納具の例における構成要素の例を説明する断面図である。以下において、釣り糸収納具とは、釣り糸収納具全体を意味する場合もあるが、釣り糸収納具全体のうちのたとえば側壁あるいは側壁とリール胴体の如く本発明の釣り糸収納具の特徴的な一部分を説明する場合もそれらの部分あるいはそれらの部分を有する釣り糸収納具という意味で前記特徴的な一部分を釣り糸収納具と称する場合がある。
【０１４６】
図１で、符号６０１は本発明の釣り糸収納具、１はリール胴体、２および３はリール胴体１に接続されあるいは接合されており、かつ、互いに対向して配置されている側壁、４および６は側壁２から側壁３の方向に向けて突き出している弾性体の突起、５および７は側壁３から側壁２の方向に向けて突き出している弾性体の突起、８はリール胴体１の側壁２および３の内側の部分のリール外周部、９はリール外周部と側壁２および３と突起４〜７および他の突起（図示せず）によって形成されている空洞部である釣り糸収納部、１０は逆さ釣り針や鼻カンなどの針を収納しておくための空洞部である。
【０１４７】
なお、上記の図１の説明における側壁２と側壁３は、釣り糸収納部９を形成している互いに対向している符号２と３で示した面を指しているが、説明の都合上、以下の説明において側壁という場合には、前後の説明や図面を参照して重大な誤解のおそれがある場合を除き、たとえば図１をれいにとって述べると、図１の符号２，３で示した側壁の面を意味する場合と、符号２，３で示した面を一方の表面に有する符号２ａ，３ａで示した側壁肉部ともいうべき部分とを含めて側壁２，３と称する場合と、図１の符号２ｂ，３ｂで示した側壁２，３の裏側にある側壁２，３の外側面を意味する場合と、符号２，３，２ａ，３ａ，２ｂ，３ｂで示した全体を側壁２，３と称する場合と、上記各場合に加えて符号２，３，２ａ，３ａ，２ｂ，３ｂで示した部分をさらに符号２ａ，３ａ，２ｂ、３ｂで示した部分のリール胴体１や空洞部１０の位置まで延長した部分も含めて側壁２，３と称する場合もある。そして、説明の都合上特に区別の必要がある場合には、それぞれ区別あるいは混用する場合もある。
【０１４８】
図１において、リール胴体１と側壁２，３および突起４〜７はゴムによって作られており、突起４および６は側壁２と、突起５および７は、たとえば、成型用の型に流し込んで成形する一体成形技術を用いて、側壁３とそれぞれ一体形成されており、前記各突起の中心線が側壁２および３に対してほぼ垂直になるように各突起が形成されている。
【０１４９】
また、図１のように構成された側壁を有する釣り糸収納具を用いて、釣り糸を収納具に収納する場合、たとえば、リール外周部８に巻きつけられた釣り糸は、特に広がり易い水中糸の部分などが外側に広がろうとすると突起４〜７および他の突起（図示せず）によって押さえられて、自然に解けることなく釣り糸収納部９に収納され続ける。
【０１５０】
図２は本発明の実施の形態例としての釣り糸収納具の側壁の例を説明する図であり、側壁を収納具の外部から側壁の外壁面に対して垂直な方向からみた図である。
【０１５１】
図２において、符号１５は本発明の釣り糸収納具の側壁、１５ａは側壁１５の外側面、１６は側壁１５の中央部に形成された空洞部、１７ａ、１７ｂ，１７ｃ，１７ｄ，１７ｅ，１７ｆ，１７ｇ，１７ｈは側壁１５に設けられた切り込み部でその底部および入り口部分のコーナー部分が丸みを帯びて形成されている。以下、切り込み部１７ａ〜１７ｄのそれぞれを、あるいは総称して切り込み部１７と称することもある。符号１８ａ，１８ｂ，１８ｃ．１８ｄ，１８ｅ，１８ｆ，１８ｇ，１８ｈは側壁１５に設けられた逆さ釣り針などを引っかけるのに使うことが出来る穴で、以下、穴１８ａ〜１８ｈのそれぞれを、あるいは総称して穴１８と称することもある。
【０１５２】
この側壁１５は図１に示した釣り糸収納具の例のみならず、後述するように、釣り糸収納具の他の例にも用いることができるものである。
【０１５３】
図２において、切り込み部１７の最も近い切り込み部同士の間隔は一定であり、中心角で４５°である。また、穴１８は切り込み部１７の底部を結んで作る円弧上で隣り合った各切り込み部間の中点にそれぞれ配置されており、各穴の中心と最近接の切り込み部１７の底部とは中心角で２２．５°の間隔をなすように設けられている。
【０１５４】
図２に示したような側壁を用いた釣り糸収納具を用いる場合、たとえば、穴１８に逆さ釣り針を引っかけた後に逆さ釣り針が接続されている金属製の釣り糸を適当な位置の切り込み部１７に入れて外側面１５ａの裏面方向にある釣り糸収納部に送る。
【０１５５】
図３は本発明の実施の形態例としての釣り糸収納具を説明する断面図である。
【０１５６】
図３で、図１と同じ符号のものは図１と同じものを示し、符号６０２は本発明の釣り糸収納具、２１および２３は側壁２から側壁３の方向に向けて突き出しているように側壁２に設けられている弾性体の突起、２２および２４は側壁３から側壁２の方向に向けて突き出しているように側壁３に設けられている弾性体の突起である。
【０１５７】
図３において、突起２１〜２４およびその他の突起（図示せず）の中心線は側壁２または３の法線に対して所定の角度θ４だけリール外周部８の方向に向けて、すなわち釣り糸収納部９の内側方向に傾けて形成されている。所定の角度θ４は、３０度以下になるようにすると、釣り糸の巻き取りおよび使用のための引き出し操作がし易い。
【０１５８】
突起の断面形状は、棒状や扁平状にすると加工上も使用上も便利であり、このような場合の突起の太さは、その長さ方向の中央部において０．２〜２ｍｍがよい。また、突起はその断面形状が棒状、扁平状、帯状のいずれの場合も、突起の根元よりも先端部の方が細く、あるいは薄くなっていると操作しやすい収納具にすることが出来る。
【０１５９】
図３のように、各突起をリール外周部８の方向に傾けて配置することによって、釣り糸を釣り糸収納部９に挿入しやすくするとともに、突起の曲げ抗力を比較的小さくしても釣り糸収納部９のリール外周部８に巻きつけられている釣り糸が解けてように側壁２に設けられている収納具の外に出てしまうのを効果的に防ぐことが出来る。
【０１６０】
図４〜図７は図１および図３で説明した釣り糸収納具の例における突起の種々の例を説明する図で、図１および図３の収納具を図１および図３の手前方向、すなわち突起の外側方向から見た側面図である。
【０１６１】
図４は本発明の実施の形態例としての釣り糸収納具の突起の例を説明する図である。
【０１６２】
図４で符号３１〜３３は突起で、突起３１〜３３はそれらが形成されている側壁に対して、各側壁の中心へ向かう方向（以下、側壁の中心方向ともいう）に直交し、かつ、側壁周方向の接線に平行な方向（以下、側壁の周方向ともいう）について垂直に形成されている。また、突起３１および３３は同じ側壁上に形成されており、突起３２は突起３１および３３が形成されている側壁に対向して配置されている側壁に形成されている。また、突起３１〜３３の長さは前記対向配置されている側壁間の距離の半分以上になっている。
【０１６３】
図４のように、突起の長さを側壁間の距離の半分以上に形成することによって、釣り糸が解けて外部に出てしまうことを効果的に防ぐことが出来る。
【０１６４】
図５は本発明の実施の形態例としての釣り糸収納具の突起の他の例を説明する図である。
【０１６５】
図５で符号３４〜３９は突起で、突起３４〜３９は、それらが形成されている側壁に対して側壁の周方向について垂直に形成されている。また、突起３４，３５，３８，３９は同一側壁上に形成されており、突起３４と３５、突起３８と３９は両突起の根本が接する突起対をなすように形成されている。また、突起３６および３７は突起３４，３５，３８，３９が形成されている側壁に対向して配置されている側壁に配置されており、突起３６と３７はそれらの根本が接するように形成されている。突起３４〜３９の長さは側壁間の距離の半分以上である。
【０１６６】
図５のように、突起同士の根本を接触させて配置することによって、隣接した突起の間に逆さ釣り針などを引っかけて保持することが出来る。また、図４と同様に突起の長さを側壁間の距離の半分以上に形成することによって、巻きつけた釣り糸が自然に解けて外部に出てしまうことを効果的に防ぐことが出来る。
【０１６７】
図６は本発明の実施の形態例としての釣り糸収納具の突起の他の例を説明する図である。
【０１６８】
図６で、符号４０〜４２は突起で、突起４０〜４２はそれらが形成されている側壁に対して、それらの配置されている各側壁の法線に対して突起４０と４２の中心線は所定の角度θ５だけ、突起４１は−θ５だけ傾けられて形成されている。この所定の角度θ５は３０度以下であることが操作しやすく好ましい。また、突起４０および４２は同じ側壁上に形成されており、突起４１は突起４０および４２が形成されている側壁に対向して配置されている側壁に形成されている。また、突起４０〜４２の側壁に対して垂直方向の長さ成分は当該両側壁間の距離の半分以上であり、特に両側壁間の距離すなわち両側壁の間隔に等しいか、両側壁間の距離より０．０５〜０．５ｍｍ短いのが操作し易く、収納具の信頼性も高い。
【０１６９】
図６の各突起は側壁の周方向に関して図の下方に傾けて形成されており、図６のように、突起を側壁の周方向の一方向に、たとえば図の下方に傾けて形成することによって、該突起を有する釣り糸収納部に巻き付けられた釣り糸が自然に解けるのを防ぐための突起の太さを細くするなど突起を柔らかくすることができ、釣り糸を釣り糸収納具に収納するときに、釣り糸を容易に収納することが出来る。また、突起の長さを側壁間の距離の半分以上に形成することによって、釣り糸収納部に巻きつけた釣り糸が自然に解けて釣り糸収納部の外部に出てしまうことを効果的に防ぐことが出来る。
【０１７０】
図７は本発明の実施の形態例としての釣り糸収納具の突起のさらに他の例を説明する図である。
【０１７１】
図７において、符号４３〜４８は突起で、突起４３〜４８はそれらが形成されている側壁に対して、側壁の法線に対して突起４３，４４，４７，４８の中心線は所定の角度θ６だけ、突起４５，４６の中心線は所定の角度−θ６だけ傾けられて形成されている。この所定の角度θ６は３０度以下が操作性に優れた収納具を与える。また、突起４３，４４，４７，４８は同一側壁上に形成されており、突起４３と４４、突起４７と４８はそれぞれ根本が接する突起対を形成するように形成されている。また、突起４５および４６は突起４３，４４，４７，４８が形成されている側壁に対向して配置されている側壁に配置されており、突起４５と４６は根本が接する突起対を形成するように形成されている。また、突起４３〜４８の長さの当該側壁に垂直な方向の成分は当該側壁間の距離の半分以上になっており、当該側壁間の距離、すなわち間隔、にほぼ等しいか、０．０５〜０．５ｍｍ短いようにすると、操作し易く、収納具の信頼性も高い。
【０１７２】
図７のように、突起を側壁の周方向の一方向に、たとえば図の下方に傾けて、すなわち、各突起の根本よりも先端部が図の下方に位置するように傾けて形成することによって、釣り糸を収納具に収納するときに収納しやすくすることが出来る。突起同士の根本を接触させて配置することによって、隣接した突起の間に逆さ釣り針や釣り糸の終端部などを引っかけて保持することが出来る。また、図４と同様に突起の長さの当該側壁に垂直な方向成分を側壁間の距離の半分以上に形成することによって、釣り糸収納部に収納した釣り糸が解けて外部に出てしまうことを効果的に防ぐことが出来る。
【０１７３】
図８〜図１０は本発明の釣り糸収納具の例において、側壁に設けられた突起の配置を説明する図である。
【０１７４】
図８〜図１０で、符号５１〜５３は側壁、５４〜５６および５８〜６０は突起、５７と６１はそれぞれ２つの突起が近接して配置された突起対で、後述の突起対の一種である。
【０１７５】
図８において、突起５４は各突起同士が等間隔になるように側壁５１上に配置されている。
【０１７６】
図８のような突起の配置にした場合、図４および図６を用いて説明したような突起を用いることができる。
【０１７７】
図９において、突起５５と５６は突起対５７を構成しており、突起５５と５６の先端部における両突起の間隔が突起の根本部の直径よりも狭く突起の根本が接するように側壁５２上に形成されており、突起対５７同士は等間隔に配置されている。
【０１７８】
図９のような突起の配置にした場合、突起として、たとえば図５または図７を用いて説明したような突起を用いることができ、また、各突起対５７は、それを構成する両突起の根本をわずかに離して形成しても良い。
【０１７９】
図１０において、突起５８〜６０は側壁５３上に、突起５９と６０は突起の根本が接するように形成され、突起５８は他の突起とは接しないように形成されており、突起は突起５８のように単独に配置された突起が２つ並んだ後に突起対６１が並ぶという順番で繰り返して配置されており、単独に配置された突起同士および単独に配置された突起と突起対６１の中心が等間隔になるように配置されている。
【０１８０】
図１０のような突起の配置にした場合、単独に配置された突起に、たとえば図４または図６を用いて説明したような突起を用いることができ、突起対に、たとえば、図５〜図７または図９を用いて説明したような突起対を用いることができる。
【０１８１】
図１１は本発明の実施の形態例としての釣り糸収納具の例を説明する断面図である。
【０１８２】
図１１で、符号６０３は本発明の釣り糸収納具、７１は本発明の釣り糸収納具を構成するリール胴体、７２および７３はリール胴体７１に接続されあるいは接合されており、かつ、互いに対向して配置されている側壁、７４および７５は側壁７２に設けられ側壁７２から側壁７３の方向に向けて突き出している弾性体の突起、７６はリール胴体７１の側壁７２および７３の内側の部分のリール外周部、７７はリール外周部と側壁７２および７３と突起７４，７５および他の突起（図示せず）とによって形成されている空洞部である釣り糸収納部、７８は逆さ釣り針や鼻カンなどの針を収納しておくための空洞部である。
【０１８３】
図１１において、リール胴体７１および側壁７２，７３および突起７４，７５はゴムによって一体形成されている。
【０１８４】
また、図１１のように構成された釣り糸収納具を用いて、釣り糸を収納具に収納する場合、たとえば、リール外周部７６に釣り糸を巻きつけた後に、外側に広がろうとする釣り糸は突起７４，７５および他の突起（図示せず）によって押さえられて、自然に解けることなく釣り糸収納部７７に保持される。
【０１８５】
図１２は本発明の実施の形態例としての釣り糸収納具の例を説明する断面図である。
【０１８６】
図１２で、図１１と同じ符号のものは図１１と同じものを示す。図１２で、符号６０４は本発明の釣り糸収納具、７９および８０は側壁７２に配置され、側壁７２から側壁７３の方向に向けて突き出している弾性体の突起であり、突起７９，８０およびその他の突起（図示せず）の各中心線は、その配置されている位置における側壁７２の法線と所定の角度θ７だけリール外周部７６の方向に向けて傾けて形成されている。
【０１８７】
この所定の角度θ７は、３０度以下が好ましく、操作し易く、信頼性の高い収納具を実現することができる。
【０１８８】
図１２のように、各突起をリール外周部７６の方向にに傾けて配置することによって、釣り糸収納部７７のリール外周部７６に巻きつけられている釣り糸が解けて収納具の外に出てしまうのを効果的に防ぐことが出来る。
【０１８９】
また、図１１および図１２の側壁７２および７３には、上述のように図２を用いて説明したような側壁を用いることができる。
【０１９０】
図１３〜図１６は図１１および図１２で説明した釣り糸収納具の突起の例を説明する図で、図１１および図１２の釣り糸収納具を突起の外側方向から見た図である。
【０１９１】
図１３は本発明の実施の形態例としての釣り糸収納具の突起の例を説明する図である。
【０１９２】
図１３で符号９０および９１は突起で、突起９０，９１はそれらが形成されている側壁に対して、垂直に形成されている。突起９０および９１は同じ側壁に形成されている。突起９０，９１の長さは側壁の間隔の半分以上であり、かつ、前記突起が形成されている側壁に対向する側壁に接する長さ以下に形成されている。
【０１９３】
図１３のように、突起の長さを側壁間の距離の半分以上両側壁の間隔以下に形成することによって、釣り糸が解けて外部に出てしまうことを効果的に防ぐことが出来る。そして、突起の長さを側壁間の距離、すなわち両側壁の間隔より、０．０５〜０．５ｍｍ短く形成すると、使いやすい収納具にすることができる。
【０１９４】
図１４は本発明の実施の形態例としての釣り糸収納具の突起の別の例を説明する図である。
【０１９５】
図１４で符号９２〜９５は突起で、突起９２〜９５は、それらが形成されている側壁に垂直に形成されている。突起９２〜９５は同一側壁上に形成されており、突起９２と９３、突起９４と９５はそれぞれ根本が接するように形成されている。突起９２〜９５の長さは、図１３の場合と同様であり、側壁間の距離の半分以上であり、かつ、前記突起が形成されている側壁に対向する側壁に接する長さ以下に形成されている。
【０１９６】
図１４のように、突起同士の根本を接触させて配置することによって、隣接した突起の間に逆さ釣り針などを引っかけて保持することが出来る。また、図１３の場合と同様に突起の長さを両側壁の間隔の半分以上両側壁の間隔以下に形成することによって、かなり柔らかい突起にしても、巻きつけた釣り糸が自然に解けて外部に出てしまうことを効果的に防ぐことが出来る。
【０１９７】
図１５は本発明の実施の形態例としての釣り糸収納具の突起の別の例を説明する図である。
【０１９８】
図１５で、符号９６および９７は突起で、突起９６，９７の中心線はそれらが形成されている側壁７２に対して、側壁の法線に対して所定の角度θ８だけ傾けられて形成されている。この所定の角度θ８を３０度以下にすると、使い勝手の良い収納具にすることができる。また、突起９６および９７は同じ側壁７２上に形成されている。また、突起９６，９７の側壁に対して垂直に測った長さは側壁間の距離の半分以上であり、かつ、前記突起が形成されている側壁に対向する側壁に接する長さ以下に形成されている。
【０１９９】
図１５のように、突起を側壁の周方向一方向について、たとえば図の下方に傾けて形成することによって、釣り糸を釣り糸収納具に容易に収納することが出来る。また、突起の長さを両側壁の間隔の半分以上で、両側壁の間隔以下に形成することによって、巻きつけた釣り糸が自然に解けて外部に出てしまうことを効果的に防ぐことが出来る。
【０２００】
図１６は本発明の実施の形態例としての釣り糸収納具の突起の別の例を説明する図である。
【０２０１】
図１６において、符号９８および９９は突起で、突起９８，９９はそれらが形成されている側壁の法線に対して所定の角度θ９だけ傾けて形成されている。突起９８，９９は同一側壁７２上に形成されており、その当該側壁に垂直な方向成分は側壁間の距離の半分以上であり、かつ、前記突起が形成されている側壁７２に対向する側壁７３に接する長さ以下に形成されている。
【０２０２】
図１６のように、突起を側壁の周方向についてたとえば図の下方に傾けて、すなわち、各突起の根本よりも先端部が図の下方に位置するように傾けて形成することによって、釣り糸を収納具に収納するときに、釣り糸を収納しやすくすることが出来る。突起同士の根本を接触させたり、突起の径以下の間隔になるように近接させて配置することによって、隣接した突起の間に逆さ釣り針や釣り糸の終端部などを引っかけて保持することが出来る。また、図１３と同様に突起の長さの当該側壁に垂直な方向成分を側壁間の距離の半分以上に形成することによって、釣り糸が解けて外部に出てしまうことを効果的に防ぐことが出来る。
【０２０３】
また、図１３〜図１６を用いて説明した突起は、前記図８〜図１０を用いて説明したような突起の配置にして用いることができる。
【０２０４】
なお、以上図１〜図１６を用いて主な特徴を説明したような対向配置された側壁と少なくとも１つの前記側壁の外周部近傍に形成された突起を有する釣り糸収納部を有するものを以下において、第１の収納ユニットとも称する。
【０２０５】
図１７は本発明の実施の形態例としての釣り糸収納具の例を説明する断面図で、図１〜図１６を用いて説明した側壁の外周部近傍に前記の如き弾性体の突起を有する釣り糸収納部を有する第１の収納ユニットを１つと側壁の外周部近傍に前記の如き弾性体を有しない釣り糸収納部を有する第２の収納ユニットを１つ有する例である。
【０２０６】
図１７で、符号６１０は本発明の釣り糸収納具、１１１は本発明の釣り糸収納具６１０の第１の収納ユニットを構成するリール胴体、１１２および１１３はリール胴体１１１に接続あるいは接合されており、かつ、互いに対向されて配置されている側壁、１１４ａおよび１１４ｂは側壁１１２から側壁１１３の方向に向けて、側壁１１２から突き出して形成されている弾性体の突起である。以下において、突起１１４ａおよび１１４ｂ、ならびに、図示していないが、側壁１１２の外周部近傍に設けられているその他の突起のそれぞれを、あるいは総称して突起１１４とも称する。また、符号１１５はリール胴体１１１のリール外周部、１１６はリール外周部１１５と側壁１１２および１１３とおよび突起１１４によって作られた空洞部である第１の釣り糸収納部としての釣り糸収納部、１１０は符号１１１〜１１６の部分を有する第１の収納ユニット、１２１はリール胴体１１８と側壁１１３と側壁１１９とを有する収納ユニット１１０に接続あるいは接合された第２の釣り糸収納部としての付属物収納部、１２６はリール胴体１１８と側壁１１９と接合部分１２０の部分で構成され、本発明の釣り糸収納具６１０の第１の収納ユニット１１０に接続あるいは接合された第２の収納ユニット、１２０は第２の収納ユニット１２６と第１の収納ユニット１１０との接合部、１２２は第２の収納ユニット１２６を収納ユニット１１０に取り付けるための取り付け部である。
【０２０７】
付属物収納部１２１には目印とその近傍の釣り糸あるいは逆さ釣り針や鼻カンなどの針を収納することが出来る。
【０２０８】
第１の釣り糸収納部１１６には主として釣り糸を巻きつけて収納し、逆さ釣り針、鼻カン、目印などを付属物収納部１２１に収納し、第１の釣り糸収納部１１６と第２の釣り糸収納部である付属物収納部１２１の間を側壁１１３に設けられた切り込み部（図１７に図示せず）を介して釣り糸を往き来させることが出来る。符号１１８ａはリール胴体１１８の中心部に形成されている空洞部である。
【０２０９】
図１７において、リール胴体１１１，側壁１１２および１１３，突起１１４，リール外周部１１５を有する第１の収納ユニット１１０は合成ゴムによって作られており、リール胴体１１８，側壁１１９，取り付け部１２０で構成される第２の収納ユニット１２６はプラスチックによって作られている。また、第１の収納ユニット１１０と第２の収納ユニット１２６は取り付け部１２０によって一体に接合されている。
【０２１０】
図１７に図示していないが、側壁に設ける切り込み部は、側壁１１３に設けるほかに、側壁１１２や側壁１１９にも設けることができ、このようにすることにより、釣り糸収納具の使い勝手を一層高めることができる。
図１８は本発明の実施の形態例としての釣り糸収納具の側壁の例を説明する図であり、弾性体の突起を有する側壁を釣り糸収納具の外部から側壁の外壁面に対して垂直な方向からみた平面図である。
【０２１１】
図１８において、符号１２３は本発明の釣り糸収納具の側壁、１２３ａは本発明の側壁１２３のリール胴体部の位置にある内側面、１２３ｂは側壁１２３のリール胴体部の外側に位置する外側面、１２５は内側面１２３ａの中央部に形成された空洞部、１１７ａ、１１７ｂ，１１７ｃ，１１７ｄ，１１７ｅ，１１７ｆ，１１７ｇ，１１７ｈは側壁１２３の外側面１２３ｂに設けられた底部および入り口部分のコーナー部分が丸みを帯びて形成されている切り込み部である。以下、切り込み部１１７ａ〜１１７ｈのそれぞれを、あるいは総称して切り込み部１１７とも称する。符号１２４ａと１２４ｂは側壁１２３の裏側にある突起の位置を示す○印（以下、その突起自体を呼称する）、１２８は空洞部１２５の縁に形成された取り付け係合部で、図では取り付け部の下に隠れて見えない部分である。取り付け係合部１２８は他の収納ユニットの取り付け部（たとえば、図１７の符号１２２の部分）に契合して当該収納ユニットを他の収納ユニットと一体化するのに用いられる部分である。突起１２４ａは、たとえば、図１０で説明した突起５８のように１つの突起が隣の突起から所定の間隔だけ離れて配置されており、突起１２４ｂは、たとえば、図１０で説明した突起５９と６０で構成される突起対６１のように、２つの突起を近接して配置した突起である。以下、特に区別を要しないときは、突起１２４ａと１２４ｂも突起１１４と総称することもある。
【０２１２】
図１８において、最も近い切り込み部１１７同士の間隔は一定であり、側壁の中心に対して張る角すなわち中心角で４５°である。また、取り付け係合部１２８は内側面１２３ａを円管状に削られた形状をしており、内側面１２３ａの他の部分よりも凹んでいる。また、突起１２４ａと１２４ｂは外側面１２３ｂに対して垂直または、外側面１２３ｂの中心方向からみて外側でない方向に傾けて形成されている。また、突起は図示したような配置ではなく、図８〜図１０を用いて説明したような配置にすることも出来る。
【０２１３】
図１７の側壁１１２と側壁１１３に、図１８のような釣り糸収納具の側壁と同様に切り込みが入っている側壁を用いて構成した釣り糸収納具を用いて魚釣りに用いる仕掛けを収納する場合、逆さ釣り針等を、たとえば、図１８に示したような２つ近接するように配置された突起１２４ｂに引っかけて収納したり、あるいは、第２の釣り糸収納部としての付属物収納部１２１に収納したり、あるいは空洞部１２５に収納したりした後に、水中糸部分をリール外周部１１５に巻きつけて収納することができる。このとき目印部分の付近の水中糸を側壁１１３に設けられた前記切り込み部を介して水中糸を移動させ、第２の収納ユニット１２６のリール胴体１１８に巻きつけた後に、再び側壁１１３に設けられた切り込み部を介して水中糸を移動させ第１の収納ユニットのリール外周部１１５に巻きつけた後に、仕掛けの終端部である天井糸の端部を、図１８に示したような２つ接するように配置された突起１２４ｂに引っかけたり、あるいは側壁１１２の切り込み部から引き出して空洞部１２１に収納したりして固定する。
【０２１４】
このように、図１７のように構成された釣り糸収納具を用いて、仕掛けを釣り糸収納具に収納した場合、リール外周部１１５に巻きつけられた外側に広がろうとする水中糸は突起１１４によって押さえられて、自然に解けることなく釣り糸収納部１１６に収納される。また、目印部分が付属物収納部１２１に他の水中糸などの部分とは別に収納されることにより、水中糸の一部が目印に引っかかるなどにより、からまったり破損したりすることを効果的に防ぐことが出来る。
【０２１５】
また、図１７を用いて説明したような本発明の釣り糸収納具の例に用いる側壁には、図１８を用いて説明した側壁以外の側壁も用いることができる。なお、図１８を用いて説明したような側壁は後述または前述の本発明の各種の釣り糸収納具にも用いることができるものである。ゴム製の側壁の場合、図１８の切り込み部１１７の数を１〜４個にすると、釣り糸を巻きつけ易くさらに形状を保ち易いなど特に好ましい。
【０２１６】
図１９は本発明の実施の形態例としての釣り糸収納具の例を説明する断面図で、図１〜図１６を用いて説明した側壁の外周部近傍に前記の如き弾性体の突起を有する釣り糸収納部を１つと側壁の外周部近傍に前記の如き弾性体を有しない釣り糸収納部を１つ有する例である。
【０２１７】
図１９で図１〜図１６と同じ符号のものは図１〜図１６と同じものを示している。図１９で、符号６１１は本発明の釣り糸収納具、１１０は図１７を用いて説明した収納ユニットと同様の第１の収納ユニット、１３５はリール胴体１３３と側壁１３１と側壁１３２とで構成される収納ユニット１１０に接続あるいは接合された第２の釣り糸収納部としての付属物収納部、１３７は収納ユニット１１０に接続あるいは接合された第２の収納ユニット、１３４は第２の収納ユニット１３７と第１の収納ユニット１１０との接合部分、１３８は第１の収納ユニット１１０と第２の収納ユニット１３７との間の隙間部分、１３９は第１の収納ユニット１１０を第２の収納ユニット１３７に取り付けるための取り付け部である。付属物収納部１３５には逆さ釣り針や鼻カンなどの針を収納することが出来る。第１の釣り糸収納部１１６には主として釣り糸を巻きつけて収納し、逆さ釣り針、鼻カン、目印などを付属物収納部１３５に収納し、第１の収納ユニット１１０と第２の収納ユニット１３７の間を側壁１１３と側壁１３２に設けられた切り込み部を介して釣り糸が往き来することが出来る。符号１３６は側壁１１２、側壁１１３の中心部にあるリール胴体１３３の中心部に形成されている空洞部である。
【０２１８】
図１９において、リール胴体１１１，側壁１１２および１１３，突起１１４，リール外周部１１５を有する第１の収納ユニット１１０は、図１７を用いて説明した例と同様に、合成ゴムによって作られており、リール胴体１３３，側壁１３１，側壁１３２、取り付け部１３４を有する第２の収納ユニット１３７はプラスチックによって作られている。また、第１の収納ユニット１１０と第２の収納ユニット１３７は取り付け部１３４によって一体に接合されている。
【０２１９】
図１９の側壁１１２と側壁１１３に図１８を用いて説明したような側壁と同様に切り込みが入っている側壁を用いて構成した釣り糸収納具を用いて魚釣りに用いる仕掛けを収納する場合、逆さ釣り針等を、たとえば、図１８に突起１２４ｂで示したような２つ近接するように配置された突起１２４ｂに引っかけたり、あるいは、第２の釣り糸収納部としての付属物収納部１３５に収納たり、あるいは、第１の収納ユニット１１０と第２の収納ユニット１３７との間の隙間部分１３８に引っかけたり、あるいは空洞部１３６に入れるなどにより収納して後固定した後に、水中糸部分をリール外周部１１５に巻きつけて、目印部分の付近の水中糸は側壁１１３および１３２に設けられた前記切り込み部を介して第２の収納ユニットに移動させ、第２の収納ユニット１３７のリール胴体１３３に巻きつけた後に、再び側壁１１３および側壁１３２に設けられた切り込み部を介して水中糸を第１の収納ユニットに移動させリール外周部１１５に巻きつけ、仕掛けの終端部である天井糸を、図１８に示したような２つ接するように配置された突起１２４ｂに引っかけたり、あるいは側壁１１２の切り込み部から引き出して空洞部１３６に収納したりして固定する。
【０２２０】
このように、図１９のように構成された釣り糸収納具を用いて、釣り糸を釣り糸収納具に収納した場合、リール外周部１１５に巻きつけられた外側に広がろうとする水中糸は突起１１４によって押さえられて、自然に解けることなく釣り糸収納部１１６に収納される。また、目印部分が付属物収納部１３５に水中糸の他の部分とは別に収納されることにより、水中糸が目印に引っかかったり破損したりすることを効果的に防ぐことが出来る。
【０２２１】
なお、図１９を用いて説明したような本発明の釣り糸収納具の例に用いる側壁は、図１８を用いて説明した側壁以外の側壁も用いることができる。図１８の切り込み部１１７の数を１〜４個にすると、釣り糸を巻きつけ易いとともに形状を保ち易いなどの効果を奏する。
【０２２２】
図２０は本発明の実施の形態例としての釣り糸収納具の例を説明する断面図で、図１〜図１６を用いて説明した側壁の外周部近傍に前記の如き弾性体の突起を有する釣り糸収納部を２つと前記２つの釣り糸収納部の間に側壁の外周部近傍に前記の如き弾性体の突起を有しない釣り糸収納部を１つ有する例である。
【０２２３】
図２０で、符号６１２は本発明の釣り糸収納具、１４１は本発明の釣り糸収納具６１２を構成する第１のリール胴体、１４２および１４３はリール胴体１４１に接続あるいは接合されており、かつ、互いに対向されて配置されている側壁、１４４ａおよび１４４ｂは側壁１４２から側壁１４３の方向に向けて側壁１４２から突き出している弾性体の突起で、突起１４４ａ，１４４ｂおよび図示していないが、側壁１４２の外周部近傍に設けられている突起１４４ａや１４４ｂと同様の役割を有するその他の突起のそれぞれを、あるいは総称して突起１４４とも称する。また、符号１４５はリール胴体１４１のリール外周部、１４６はリール外周部１４５と側壁１４２および１４３とおよび突起１４４によって作られた空洞部である第１の釣り糸収納部、１５３は符号１４１〜１４５の部分を有する第１の収納ユニット、１４７は本発明の釣り糸収納具を構成する第２のリール胴体、１４８および１４９はリール胴体１４７に接続あるいは接合されており、かつ、互いに対向されて配置されている側壁、１５０ａおよび１５０ｂは側壁１４８から側壁１４９の方向に向けて側壁１４８から突き出して形成されている弾性体の突起である。突起１５０ａ，１５０ｂおよび図示していないが、側壁１４８の外周部近傍に設けられているその他の突起のそれぞれを、あるいは総称して突起１５０とも称する。また、符号１５１はリール胴体１４７のリール外周部、１５２はリール外周部１５１と側壁１４８および１４９とおよび突起１５０によって作られた空洞部である第３の釣り糸収納部、１５４は符号１４７〜１５１の部分で構成される第３の収納ユニット、１６０はリール胴体１５５と側壁１５６と側壁１５７とで構成される、第１の収納ユニット１５３および１５４に接続あるいは接合された第２の釣り糸収納部としての付属物収納部、１６１はリール胴体１５５と側壁１５６および１５７と接合部分１５８および１５９のを有し、収納ユニット１５３および１５４に接続あるいは接合された第２の収納ユニット、１５８は第２の収納ユニット１６１と第１の収納ユニット１５３との接合部分、１５９は第２の収納ユニット１６１と第３の収納ユニット１５４との接合部分、１６２は第３の収納ユニット１５４を第２の収納ユニット１６１に取り付けるための取り付け部、１６３は第１の収納ユニット１５３を第２の収納ユニット１６１に取り付けるための取り付け部、１６４は第１の収納ユニット１５３と第２の収納ユニット１６１との隙間部分、１６５は第３の収納ユニット１５４と第２の収納ユニット１６１との隙間部分である。付属物収納部１６０には逆さ釣り針や鼻カンなどを収納することが出来る。
【０２２４】
第１の収納ユニット１５３には、たとえば、主として目印部分よりも針部に近い部分の釣り糸を巻きつけて収納し、第２の収納ユニット１６１には逆さ釣り針、鼻カン、目印などを収納し、第３収納ユニット１５４には主として目印部分よりも天井糸に近い部分の釣り糸を巻きつけて収納する。
【０２２５】
第１の収納ユニット１５３と第２の収納ユニット１６１の間は側壁１４３および１５７に設けられた切り込み部を介して釣り糸を往き来することができ、第３の収納ユニット１５４と第２の収納ユニット１６１の間は側壁１４９および１５６に設けられた切り込み部を介して釣り糸を往き来することが出来る。
【０２２６】
符号１６６は側壁１４２，１４３，１４８，１４９，１５６、１５７の中心部分にあるリール胴体１５５の中心部に形成されている空洞部である。
【０２２７】
図２０において、リール胴体１４１，側壁１４２および１４３，突起１４４，リール外周部１４５を有する第１の収納ユニット１５３、および、リール胴体１４７，側壁１４８および１４９，突起１５０，リール外周部１５１を有する第３の収納ユニット１５４は合成ゴムによって作られており、リール胴体１５５，側壁１５６および１５７，取り付け部１５８および１５９を有する第２の収納ユニット１６１はプラスチックによって作られている。
【０２２８】
第１の収納ユニット１５３および第３の収納ユニット１５４と第２の収納ユニット１６１は取り付け部１５８および１５９によって一体に接合されている。
【０２２９】
第１の収納ユニット１５３と第３の収納ユニット１５４は、同一の形状の収納ユニットを第２の１６１に関して対称になるように対向して配置されており、役割をそれぞれ交換して、第１の収納ユニット１５３を第３の収納ユニットとして用い、第３の収納ユニット１５４を第１の収納ユニットとして用いても差し支えないことはもちろんである。
【０２３０】
図２０の側壁１４２，１４３，１４８，１４９，１５６、１５７に図１８を用いて説明したような側壁と同様に切り込みが入っている側壁を用いて構成した釣り糸収納具を用いて、たとえば、魚釣りに用いる仕掛けを収納する場合、逆さ釣り針等を、たとえば図１８に突起１２４ｂとして示したような２つ近接するように配置された突起１２４ｂに引っかけて収納したり、あるいは、第２の収納ユニット１６１の付属物収納部１６０に収納したり、あるいは、第１の収納ユニット１５３と第２の収納ユニット１６１との間の隙間部分１６４に引っかけて収納したり、あるいは、第３の収納ユニット１５４と第２の収納ユニット１６１との間の隙間部分１６５に引っかけて収納したり、あるいは空洞部１６６に収納したりして、水中糸部分をリール外周部１４５に巻きつけていく。このとき、目印部分の付近の水中糸を、たとえば側壁１４３および１５７に設けられた切り込み部を介して水中糸を第１の収納ユニット１５３から第２の収納ユニット１６１に移動させて、第２の収納ユニット１６１のリール胴体１５５に巻きつけた後に、たとえば、側壁１５６および側壁１４９に設けられた切り込み部を介して水中糸を第２の収納ユニット１６１から第３の収納ユニット１５４に移動させリール外周部１５１に巻きつけた後に、仕掛けの終端部である天井糸を、図１８に示したような２つ接するように配置された突起１２４ｂのような突起１５０に引っかけたり、あるいは当該側壁の切り込み部から引き出して空洞部１６６に収納して固定する。
【０２３１】
図２０のように構成された釣り糸収納具を用いて、釣り糸を釣り糸収納具に収納した場合、リール外周部１４５や１５１に巻きつけられた外側に広がろうとする水中糸は突起１４４や１５０によってそれぞれ押さえられて、自然に解けることなく釣り糸収納部１４６や１５２にそれぞれ収納される。また、目印部分が付属物収納部１６０に、目印部分以外の水中糸などとは別に収納されることにより、水中糸などが目印に引っかかったり仕掛けが破損したりすることを効果的に防ぐことが出来る。
【０２３２】
また、図２０を用いて説明したような本発明の釣り糸収納具の例に用いる側壁として、図１８を用いて説明した側壁以外の側壁も当然用いることができることは前述ならびに後述の説明により明白である。また、特に、ゴム製の側壁において、図１８の切り込み部１１７の数を１〜４個にすると、釣り糸を巻きつけ易くさらに形状を保ち易いなど特に好ましい。
【０２３３】
図２１は本発明の実施の形態としての釣り糸収納具の例を説明する断面図で、図１〜図１６を用いて説明した側壁の外周部近傍に前記の如き弾性体の突起を有する釣り糸収納部を２つを組み合わせた形で有する釣り糸収納具の例である。
【０２３４】
図２１で、符号６１３は本発明の釣り糸収納具、１７１はリール胴体、１７２，１７３はリール胴体１７１に接続あるいは接合されており、かつ、互いに対向して配置されている側壁、１７４ａおよび１７４ｂは側壁１７２から側壁１７３の方向に向けて、側壁１７２から突き出して形成されている弾性体の突起で、以下、突起１７４ａ，１７４ｂおよび図示していないが側壁１７２の外周部近傍に設けられているその他の突起のそれぞれを、あるいは総称して突起１７４とも称する。また、符号１７５はリール胴体１７１のリール外周部、１７６はリール外周部１７５と側壁１７２および１７３と突起１７４によって作られた空洞部である第１の釣り糸収納部としての釣り糸収納部、１８３は符号１７１〜１７６の部分で構成される第１の収納ユニット、１７７はリール胴体、１７８および１７９はリール胴体１７７に接続あるいは接合されており、かつ、互いに対向されて配置されている側壁、１８０ａおよび１８０ｂは側壁１７８から側壁１７９の方向に向けて、側壁１７８から突き出している弾性体の突起である。突起１８０ａ，１８０ｂおよび図示していないが側壁１７８の外周部近傍に設けられているその他の突起を総称して突起１８０とも称する。また、符号１８１はリール胴体１７７のリール外周部、１８２はリール外周部１８１と側壁１７８および１７９とおよび突起１８０によって作られた空洞部である第２の釣り糸収納部としての付属物収納部、１８４は符号１７７〜１８２の部分で構成される第２の収納ユニット、１８５は第１の収納ユニット１８３と第２の収納ユニット１８４を接合するためのユニット接合部品、１８６は収納ユニット１８４をユニット接合部品１８５に装着するための取り付け部、１８７は収納ユニット１８３をユニット接合部品１８５に装着するための取り付け部、１８８は第１の収納ユニット１８３と第２の収納ユニット１８４との隙間部分である。
【０２３５】
第１の収納ユニット１８３には主として釣り糸を巻きつけて収納し、逆さ釣り針、鼻カン、目印などを付属物収納部１８２に収納し、第１の収納ユニット１８３と第２の収納ユニット１８４の間を側壁１７３および１７９に設けられた切り込み部を介して釣り糸を往き来することが出来る。符号１８９は側壁１７２，１７３，１７８，１７９とリール胴体１７１および１７７の中心部にあるユニット接合部品１８５の中心部に形成されている空洞部である。
【０２３６】
図２１において、リール胴体１７１，側壁１７２および１７３，突起１７４，リール外周部１７５を有する第１の収納ユニット１８３およびリール胴体１７７，側壁１７８および１７９、突起１８０、リール外周部１８１を有する第２の収納ユニットは合成ゴムによって作られている。また、第１の収納ユニット１８３と第２の収納ユニット１８４はユニット接合部品１８５によって一体になって接合されている。ユニット接合部品１８５はプラスチックによって作られている。
【０２３７】
図２１の側壁１７２，１７３，１７８，１７９に図１８を用いて説明したような側壁と同様に切り込みが入っている側壁を用いて構成した釣り糸収納具を用いて魚釣りに用いる仕掛けを収納する場合、逆さ釣り針等を図１８の突起１２４ｂに示したような２つ近接するように配置された突起１７４に引っかけたり、あるいは、第２の収納ユニット１８４に収納したり、あるいは、第１の収納ユニット１８３と第２の収納ユニット１８４との間の隙間部分１８８に引っかけたり、あるいは空洞部１８９に収納したりして後に、水中糸部分をリール外周部１７５に巻きつけていく。このとき、目印部分の付近の水中糸を、側壁１７３および１７９に設けられた前記切り込み部を介して水中糸を第１収納ユニット１８３側から第２の収納ユニット１８４側に移動させ、第２の収納ユニット１８４に目印部分を収納した後に、再び側壁１７３および側壁１７９に設けられた切り込み部を介して水中糸を移動させリール外周部１７５に巻きつけた後に、仕掛けの終端部である天井糸を、図１８の突起１２４ｂによって示したような２つ近接するように配置された突起１７４に引っかけたり、あるいは側壁１７２の切り込み部から引き出して空洞部１８９に収納したりして固定する。
【０２３８】
図２１のように構成された収納具を用いて、釣り糸を収納具に収納した場合、リール外周部１７５に巻きつけられた外側に広がろうとする水中糸は、突起１７４によって押さえられて、自然に解けることなく釣り糸収納部１７６に収納される。また、目印部分が付属物収納部１８２に他の部分の水中糸などとは別に収納され、かつ、突起１８０によって外に広がることなく突起１８０の内側に収納されることにより、水中糸などが目印に引っかかったり、仕掛けの一部が破損することを効果的に防ぐことが出来る。
【０２３９】
なお、図２１を用いて説明したような本発明の釣り糸収納具の例に用いる側壁は、図１８を用いて説明した側壁以外の側壁も用いることができることは本発明の説明から明らかである。図２１の例においても、図１８の切り込み部１１７の数を１〜４個にすると、ゴム製の側壁を用いた場合に、釣り糸を巻きつけ易くさらに形状を保ち易いなど特に好ましい。また、第１の収納ユニット１８３と第２の収納ユニット１８４とは同一の形状の収納ユニットを対向して配置したものであり、役割をそれぞれ交換して、第１の収納ユニット１８３を第２の収納ユニットとして用い、第２の収納ユニット１８４を第１の収納ユニットとして用いても差し支えないものである。
【０２４０】
図２２は本発明の実施の形態例としての釣り糸収納具の例を説明する断面図で、図１〜図１６を用いて説明した側壁の外周部近傍に前記の如き弾性体の突起を有する釣り糸収納部を１つと側壁の外周部近傍に前記の如き弾性体を有しない釣り糸収納部を１つ有する例である。
【０２４１】
図２２で、符号６１４は本発明の釣り糸収納具、１９１はリール胴体、１９２および１９３はリール胴体１９１に接続あるいは接合されており、かつ、互いに対向されて配置されている側壁、１９４ａおよび１９４ｂは側壁１９２から側壁１９３の方向に向けて、側壁１９２から突き出している弾性体の突起である。以下、突起１９４ａ，１９４ｂおよび図示していないが、側壁１９２の外周部近傍に設けられているその他の突起のそれぞれを、あるいは総称して突起１９４とも称する。符号１９５はリール胴体１９１のリール外周部、１９６はリール外周部１９５と側壁１９２および１９３と突起１９４によって作られた空洞部である第１の釣り糸収納部としての釣り糸収納部、１９０は符号１９１〜１９５の部分を有する第１の収納ユニット、２００はリール胴体１９７と側壁１９８と側壁１９９とで構成される第１の収納ユニット１９０に接続あるいは接合された第２の釣り糸収納部としての付属物収納部、２０１はリール胴体１９７と側壁１９８，１９９を有する第２の収納ユニット、２０２は第１の収納ユニット１９０と第２の収納ユニット２０１を接合するためのユニット接合部品、２０３は第２の収納ユニット２０１を接続部品２０２に装着するための取り付け部、２０４は収納ユニット１９０を接続部品２０２に装着するための取り付け部、２０５は第１の収納ユニット１９０と第２の収納ユニット２０１との隙間部分、１９７ａはリール胴体１９７のリール外周部である。
付属物収納部２００には逆さ釣り針や鼻カンなどの針を収納することが出来る。第１の収納ユニット１９０には主として釣り糸を巻きつけて収納し、逆さ釣り針、鼻カン、目印などを付属物収納部２００に収納し、第１の収納ユニット１９０と第２の収納ユニット２０１の間を側壁１９３および側壁１９９に設けられた切り込み部を介して釣り糸が往き来することが出来る。符号２０６は側壁１９２，１９３，１９８，１９９の中心部にありリール胴体１９１，１９７の中心部にあるユニット接合部品２０２の中心部に形成されている空洞部である。
【０２４２】
図２２において、リール胴体１９１，側壁１９２および１９３，突起１９４，リール外周部１９５を有する第１の収納ユニット１９０は図１７を用いて説明した例と同様に合成ゴムによって作られており、リール胴体１９７，側壁１９８，側壁１９９を有する第２の収納ユニット２０１はプラスチックによって作られている。また、第１の収納ユニット１９０と第２の収納ユニット２０１は接合部品２０２によって一体に接合されている。
【０２４３】
図２２の側壁１９２，１９３，１９８，１９９に図１８を用いて説明したような側壁と同様に切り込みが入っている側壁を用いて構成した釣り糸収納具を用いて、たとえば、魚釣りに用いる仕掛けを収納する場合、逆さ釣り針等を図１８に突起１２４ｂとして示したような２つ接近して配置された突起１９４に引っかけたり、あるいは、第２付属物収納部２００に収納したり、あるいは、第１の収納ユニット１９０と第２の収納ユニット２０１の間の隙間部分２０５に引っかけたり、あるいは空洞部２０６に収納したりして後に、水中糸部分をリール外周部１９５に巻きつけていく。このとき、目印部分付近の水中糸を側壁１９３および１９９に設けられた切り込み部を介して第１の収納ユニット１９０から第２の収納ユニット２０１へ移動させ、第２の収納ユニット２０１のリール胴体１９７に適宜巻きつけた後に、再び側壁１９３および側壁１９９に設けられた切り込み部を介して水中糸を第１の収納ユニットへ移動させリール外周部１９５に巻きつけた後に、仕掛けの終端部である天井糸を、突起１９４の図１８の突起１２４ｂによって示したような２つ近接するように配置された突起１９４に引っかけたり、あるいは側壁１９２の切り込み部から引き出して空洞部２０６に収納して固定する。
【０２４４】
図２２のように構成された釣り糸収納具を用いて、釣り糸を釣り糸収納具に収納した場合、リール外周部１９５に巻きつけられた外側に広がろうとする水中糸は突起１９４によって押さえられて、自然に解けることなく釣り糸収納部１９６に収納される。また、目印部分が付属物収納部２００に水中糸の他の部分とは別に収納されることにより、水中糸などが目印に引っかかるなどにより破損することを効果的に防ぐことが出来る。
【０２４５】
また、図２２を用いて説明したような本発明の収納具の例に用いる側壁は、図１８を用いて説明した側壁以外の側壁も用いることができる。ゴム製の側壁の場合は、特に、図１８の切り込み部１１７の数を１〜４個にすると、釣り糸を巻きつけ易くさらに形状を保ち易いなど特に好ましい。
【０２４６】
図２３は本発明の実施の形態例としての釣り糸収納具の例を説明する断面図で、図１〜図１６を用いて説明した側壁の外周部近傍に前記の如き弾性体の突起を有する釣り糸収納部を１つと側壁の外周部近傍に前記の如き弾性体を有しない釣り糸収納部を１つ有する例で、第１の収納ユニットと第２の収納ユニットを、材料を型に流し込んで成形する一体成形技術を用いて、一体に成形した例である。
【０２４７】
図２３で、符号６１５は本発明の釣り糸収納具、２１１はリール胴体、２１２および２１３ならびに２１７はリール胴体２１１と一体に形成されており、かつ、互いに対向配置されている側壁、２１４ａおよび２１４ｂは側壁２１２から側壁２１３の方向に向けて、側壁２１２から突き出している弾性体の突起である。突起２１４ａおよび２１４ｂ、ならびに、図示していないが、側壁２１２の外周部近傍に側壁２１３の方向に突き出して形成されているその他の突起のそれぞれを、あるいは総称して突起２１４とも称する。また、符号２１５ａはリール胴体２１１の側壁２１２と側壁２１３の間の第１のリール外周部、２１６はリール外周部２１５ａと側壁２１２および２１３と突起２１４とによって形成された空洞部である第１の釣り糸収納部としての釣り糸収納部、２１５ｂはリール胴体２１１の側壁２１３と２１７の間の第２のリール外周部、２１８は側壁２１３と側壁２１７とリール外周部２１５ｂとで構成された第２の釣り糸収納部としての付属物収納部、２１９は符号２１１〜２１４，および２１５ａの部分を有する第１の収納ユニット、２２０は符号２１３，２１５ｂ、２１７の部分で構成される第２の収納ユニットである。付属物収納部２１８には逆さ釣り針や鼻カンなどの針を収納することが出来る。第１の釣り糸収納部２１６には主として釣り糸を巻きつけて収納し、付属物収納部２１８には逆さ釣り針、鼻カン、目印などを収納し、第１の釣り糸収納部２１６と第２の釣り糸収納部である付属物収納部２１８の間を側壁２１３に設けられた切り込み部（図示せず）を介してリール胴体２１５ａと２１５ｂに巻きつけられる水中糸が往き来することが出来る。２２１はリール胴体２１１の中央部分に形成されている空洞部分である。
【０２４８】
図２３において、第１の収納ユニット２１９と第２の収納ユニット２２０は、前述のように合成ゴムを用いて一体成形技術によって一体に形成されている。
【０２４９】
図２３の側壁２１２と側壁２１３に、図１８を用いて説明したような側壁と同様に切り込みが入っている側壁を用いて構成した収納具を用いて魚釣りに用いる仕掛けを収納する場合、逆さ釣り針等を図１８に突起１２４ｂとして示したような２つ近接するように配置された突起２１４に引っかけたり、あるいは、第２の釣り糸収納部としての付属物収納部２１８、あるいは空洞部２２１に収納したりした後に、水中糸部分をリール外周部２１５ａに巻きつけていく。このとき、目印部分付近の水中糸を、側壁２１３に設けられた前記切り込み部を介して第１の収納ユニット２１９から第２の収納ユニット２２０へと移動させ、リール外周部２１５ｂに巻きつけることによって付属物収納部２１８に収納した後に、再び側壁２１３に設けられた切り込み部を介して水中糸を第１の収納ユニット２１９へ移動させ、リール外周部２１５ａに巻きつけた後に、仕掛けの終端部である天井糸を、図１８に突起１２４ｂとして示したような２つ近接するように配置された突起２１４に引っかけたり、あるいは側壁２１２の切り込み部から引き出して空洞部２２１に収納して固定する。
【０２５０】
図２３のように構成された釣り糸収納具を用いて、釣り糸を釣り糸収納具に収納した場合、リール外周部２１５ａに巻きつけられた外側に広がろうとする水中糸は突起２１４によって押さえられて、自然に解けることなく釣り糸収納部２１６に収納される。また、目印部分が付属物収納部２１８に他の水中糸などの部分とは別に収納されることにより、水中糸などが目印に引っかかったり破損したりすることを効果的に防ぐことが出来る。
【０２５１】
また、図２３を用いて説明したような本発明の釣り糸収納具の例に用いる側壁は、図１８を用いて説明した側壁以外の側壁を用いることもできる。合成ゴムなどのゴムで形成された側壁の場合には、図１８の切り込み部１１７の数を１〜４個にすると、釣り糸を巻きつけ易くさらに形状を保ち易いなど特に好ましい。
【０２５２】
図２４は本発明の実施の形態例としての釣り糸収納具の側壁の例を説明する図であり、側壁を釣り糸収納具の外部から側壁の外壁面に対して垂直な方向からみた平面図である。
【０２５３】
図２４において、符号２３０は本発明の釣り糸収納具の側壁、２３０ａは側壁２３０のリール外周部よりも内側の部分である内側面、２３４は内側面１２３ａの中央部に形成された空洞部、２３１ａ、２３１ｂ，２３１ｃ，２３１ｄ，２３１ｅ，２３１ｆ，２３１ｇ，２３１ｈは側壁に設けられた底部および入り口部分のコーナー部分が丸みを帯びて形成されている切り込み部である。そして、切り込み部２３１ａ〜２３１ｈのそれぞれあるいは全体を切り込み部２３１と称することもある。符号２３３は側壁２３０の裏側に形成されている突起の位置を示す○印（以下、突起自体を呼称することもある）、２３２ａ，２３２ｂ，２３２ｃ，２３２ｄ，２３２ｅ，２３２ｆ，２３２ｇ，２３２ｈは側壁２３０の内側面２３０ａと外側面２３０ｂの境界部分に中心があるように形成されている穴である。２３２ａ〜２３２ｈまでのそれぞれあるいは全体を穴２３２と称する。
【０２５４】
図２４において、最も近い切り込み部２３１同士の間隔は一定であり、側壁の中心に対して張る角すなわち中心角は４５°である。また、突起２３３は外側面２３０ｂの裏側面に対して垂直または、内側面２３０ａの中心方向からみて外側でない方向に傾けて形成されている。また、突起２３３は図示したような配置ではなく、図８〜図１０を用いて説明したような配置にすることも出来るものである。
【０２５５】
図２４を用いて説明したような側壁を用いた場合、側壁に設けられた穴２３２に逆さ釣り針などの針部などを引っかけることにより、釣り糸収納部などに逆さ釣り針などを収納する機構を持たない釣り糸収納具であっても、逆さ釣り針などの針部などを水中糸の出入りを妨げないように収納することが出来る。
【０２５６】
また、図２４を用いて説明した側壁は、前述もしくは後述の本発明の実施の形態例としての釣り糸収納具の側壁として用いることができるものである。
【０２５７】
図２５は本発明の実施の形態例としての釣り糸収納具の例を説明する断面図で、図１〜図１６を用いて説明した側壁の外周部近傍に前記の如き弾性体の突起を有する釣り糸収納部を２つ有する例である。
【０２５８】
図２５で、符号２５５は本発明の釣り糸収納具、２４１はリール胴体、２５４はリール胴体２４１をその外周部に保持している保持体、２４２および２４３ならびに２４７はリール胴体２４１に接続あるいは接合されている側壁で、側壁２４２と側壁２４３，および側壁２４３と側壁２４７はそれぞれ互いに対向されて配置されている。符号２４４ａおよび２４４ｂは側壁２４２から側壁２４３の方向に向けて側壁２４２から突き出している弾性体の突起で、突起２４４ａおよび突起２４４ｂ、ならびに、図示していないが、側壁２４２の外周部近傍に設けられているその他の突起のそれぞれあるいはそれを総称して突起２４４とも称する。また、符号２４５ａはリール胴体２４１の側壁２４２と側壁２４３の間の第１のリール外周部、２４６はリール外周部２４５ａと側壁２４２および２４３とおよび突起２４４によって作られた空洞部である第１の釣り糸収納部、２４５ｂはリール胴体２４１の側壁２４３と側壁２４７の間の第２のリール外周部、２４８ａおよび２４８ｂは側壁２４７から側壁２４３の方向に向けて、側壁２４７から突き出している弾性体の突起で、突起２４８ａおよび突起２４８ｂ、ならびに、図示していないが、側壁２４７の外周部近傍に設けられているその他の突起のそれぞれあるいはそれを総称して突起２４８とも称する。符号２４９は側壁２４３と側壁２４７とリール外周部２４５ｂと突起２４８とで構成された第２の付属物収納部、２５０は符号２４１〜２４３，２４４ａ，２４４ｂ，２４５ａ，２４５ｂで示した部分を有する第１の収納ユニット、２５３は符号２４３，２４５ｂ、２４７，２４８ａ、２４８ｂで示した部分を有する第２の収納ユニットである。付属物収納部２４９には逆さ釣り針や鼻カンなどの針を収納することが出来る。第１の釣り糸収納部２４６には、たとえば主として釣り糸を巻きつけて収納し、逆さ釣り針、鼻カン、目印などを付属物収納部２４９に収納し、第１の釣り糸収納部２４６と第２の釣り糸収納部である付属物収納部２４９の間を側壁２４３に設けられた切り込み部（図示せず）を介して釣り糸を往き来させることが出来る。２５１は釣り糸収納具２５５の径方向中央部分に形成されている空洞部分、２５２ａおよび２５２ｂは空洞部分２５１に係合するように作られた蓋である。
【０２５９】
図２５において、リール胴体２４１，側壁２４２，２４３，２４７，突起２４４，２４８，リール外周部２４５ａおよび２４５ｂを有する第１の収納ユニット２５０と第２の収納ユニット２５３は合成ゴムを用いて一体成形技術によって形成されている。また、蓋２５２ａおよび２５２ｂも合成ゴムによって作られている。
【０２６０】
図２５の側壁２４２と側壁２４３ならびに側壁２４７に図１８を用いて説明したような側壁や図２４を用いて説明したような側壁と同様に切り込みが入っている側壁を用いて構成した釣り糸収納具を用いて魚釣りに用いる仕掛けを収納する場合、逆さ釣り針等を図１８または図２４に示したような２つ近接するように配置された突起２４４に引っかけたり、あるいは、第２の釣り糸収納部としての付属物収納部２４９や空洞部２５１に収納したりして後に、水中糸部分をリール外周部２４５ａに巻きつけていく。このとき、目印部分の付近の水中糸を側壁２４３に設けられた前記切り込み部を介して付属物収納部２４９側に水中糸を移動させ、リール外周部２４５ｂに巻きつけることによって付属物収納部２４９に収納した後に、再び側壁２４３に設けられた切り込み部を介して水中糸を第１の収納ユニット２４６側に移動させてリール外周部２４５ａに巻きつけ、仕掛けの終端部である天井糸を、図１８または図２４に示したような２つ近接するように配置された突起２４４に引っかけたり、あるいは側壁２４２の切り込み部から引き出して空洞部２５１に収納して固定する。
【０２６１】
このように、図２５のように構成された釣り糸収納具を用いて、釣り糸を釣り糸収納具に収納した場合、リール外周部２４５ａに巻きつけられた外側に広がろうとする水中糸は突起２４４によって押さえられて、自然に解けることなく釣り糸収納部２４６に収納される。また、目印部分が付属物収納部２４９に水中糸の他の部分とは別に収納されることにより、水中糸などの部分が目印に引っかかったり破損したりすることを効果的に防ぐことが出来る。
【０２６２】
図２５を用いて説明したような、空洞部２５１に係合する蓋部２５２ａおよび２５２ｂを空洞部２５１に装着することによって、逆さ釣り針や天井糸などの部分を収納でき、収納する際に外れてしまう可能性がある部品をも空洞部２５１に収納することが出来る。
【０２６３】
図２５を用いて説明したような本発明の釣り糸収納具の例に用いる側壁は、図１８または図２４を用いて説明したような側壁以外の側壁も用いることができる。合成ゴムなどゴム製の側壁を用いる場合、図１８の側壁の切り込み部１１７の数、あるいは、図２４の側壁の切り込み部２３１の数を１〜４個にして図２５の釣り糸収納具に適用すると、釣り糸を巻きつけ易く、かつ、形状を保ち易いなど特に好ましい。
【０２６４】
図２６と図２７は、本発明の実施の形態例としての釣り糸収納具の例を説明する断面図で、突起のついていないリール部と突起を有する側壁を有するリール部を組み合わせた例である。
【０２６５】
図２６で、符号６１６は本発明の釣り糸収納具、５１１はリール胴体、５１２および５１３はリール胴体５１１に接続あるいは接合されており、かつ、互いに対向されて配置されている突起のついていない内側壁、５１４はリール胴体５１１の内側壁５１２と内側壁５１３の間のリール外周部、５１５は符号５１１〜５１４の部分などによって構成されているリール部、５１６は内側壁５１２に近接あるいは接触して配置されている外側壁、５１７ａ，５１７ｂは外側壁の外周部近傍で、かつ、内側すなわちリール部の中心部側から外側壁５２０の方向に向けて、突き出している弾性体の突起で、図示していないが、外側壁５１６の外周部近傍に設けられているその他の突起のそれぞれを、あるいは総称して突起５１７とも称する。符号５１８は第１の装着部５１９をリール部５１５に取り付けるための取り付け部、５１９は５１６〜５１８で示した部分などで構成される第１の装着部、５２０は内側壁５１３に近接あるいは接触して配置されている外側壁、５２１ａ，５２１ｂは外側壁５２０の外周部近傍から外側壁５１６側へ突き出している弾性体の突起で、図示していないが、外側壁５２０の端部付近に設けられているその他の突起のそれぞれを、あるいは総称して突起５２１とも称する。符号５２２は第２の装着部５２３をリール部５１５に取り付けるための取り付け部、５２３は符号５２０〜５２２で示した部分構成される第２の装着部、５２４はリール部５１５の中心部に、取り付け部５１８，５２２の内側に形成されている中心空洞部、５２５は内側壁５１２，５１３およびリール外周部５１４および突起５１７，５２１によって構成される釣り糸収納部である。
【０２６６】
また、図２６において、外側壁５１６および５２０の表面や中心空洞部５２４には逆さ釣り針や鼻カンなどの針を収納することが出来、釣り糸収納部５２５には主として釣り糸を巻きつけて収納し、逆さ釣り針、鼻カン、目印などを外側壁５１６，５２０の表面または、中心空洞部５２４に収納する。また、釣り糸収納部５２５と外側壁５１６および５２０の表面などのリール部５１５の外部の間は、外側壁５１６と内側壁５１２または外側壁５２０と内側壁５１３の少なくとも一方に設けられた切り込み部（図示せず）を介して釣り糸を移動させることが出来、外側壁５１６または５２０と中心空洞部５２４の間を釣り糸が適宜往き来することが出来る。
【０２６７】
図２６において、リール胴体５１１，内側壁５１２，５１３、リール外周部５１４で構成されるリール部５１５はプラスチックで作られている。外側壁５１６、突起５１７、取り付け部５１８で構成される第１の装着部５１９および外側壁５２０、突起５２１、取り付け部５２２で構成される第２の装着部５２３は合成ゴムによって作られている。また、リール胴体５１１，内側壁５１２，５１３、リール外周部５１４は一体形成されてリール部５１５を形成しており、外側壁５１６、突起５１７、取り付け部５１８は一体形成されて第１の装着部５１９を形成しており、外側壁５２０、突起５２１、取り付け部５２２は一体形成されて第２の装着部５２３を形成している。
【０２６８】
また、図示していないが中心空洞部５２４にはそれに係合する蓋を両側から取り付けることが出来、逆さ釣り針や鼻カンなどの部品を収納することも可能である。
【０２６９】
図２６の内側壁５１２、内側壁５１３、外側壁５１６，外側壁５２０に図２、図１８、図２５を用いて説明したような切り込みが入っている側壁を用いて構成した収納具を用いた釣り糸収納具にて魚釣りに用いる仕掛けを収納する場合、逆さ釣り針等を図９または図１０を用いて説明したような２つ接するように配置された突起５１７または５２１に引っかけたり、あるいは、中心空洞部５２４に収納して固定した後に、水中糸部分をリール外周部５１４に巻きつけていく。このとき、水中糸の中間部に設けられた目印部分の付近の水中糸を、内側壁５１２または５１３と外側壁５１６または５２０に設けられた前記切り込み部を介して水中糸を移動させ、中心空洞部５２４に収納したり、図示していないが外側壁５１６または５２０の表面の一部に巻きつけたり、内側壁と外側壁の間に収納することによって収納した後に、再び内側壁５１２または５１３と外側壁５１６または５２０に設けられた切り込み部を介して水中糸を移動させリール外周部５１４に巻きつけた後に、仕掛けの終端部である天井糸を、図９または図１０を用いて説明したような２つ接するように配置された突５１７または５２１に引っかける、あるいは内側壁５１２または５１３と外側壁５１６または５２０の切り込み部から引き出して中心空洞部５２４に収納して固定する。
【０２７０】
このように、図２６のように構成された収納具を用いて、釣り糸を釣り糸収納具に収納した場合、リール外周部５１４に巻きつけられた外側に広がろうとする水中糸は、突起５１７および５２１によって押さえられて、自然に解けることなく釣り糸収納部５２５に収納される。また、目印部分や逆さ釣り針や鼻カンなどが外側壁や外側壁と内側壁の間や中心空洞部などの水中糸を収納する部分とは別の部分に収納されることにより、水中糸などの部分が目印に引っかかるなどにより破損することを効果的に防ぐことが出来る。
【０２７１】
また、図２６を用いて説明したような、中心空洞部５２４に系合する蓋部を装着することによって、効率的に逆さ釣り針や天井糸などの部分を収納できるのはもちろん、その他の鼻カンなど取り外しが可能な部品、収納する際に外れてしまう可能性がある部品を中心空洞部５２４に収納することが出来る。
【０２７２】
また、図２６を用いて説明したような本発明の釣り糸収納具の例に用いる各側壁に、図２〜図２５を用いて説明した側壁を適宜用いることができ、それ以外の側壁も用いることができる。また、外側壁５１７と５２０に設ける切り込み部の数を１〜４個にすると、釣り糸を巻きつけ易くさらに形状を保ち易いなど特に好ましい。
【０２７３】
リール部５１５は突起を有しないリール部であり、外側壁５１６と５２０に挟まれた釣り糸収納部分が突起を有するリール部である。
【０２７４】
図２６を用いて説明した釣り糸収納具は、突起５１７および５２１を有して形成されている釣り糸収納部５２５とその構成に必要な要素を第１の収納ユニットということができ、構造・寸法のとり方によっては、外側壁と内側壁の間の部分を第２の収納ユニットということもできる。
【０２７５】
また、リール部５１５を有しない第１の装着部５１９と第２の装着部５２３を本発明の釣り糸収納具としてつくり、リール部５１５の代わりに、市販の、あるいは第１，第２の装着部と関連なくつくられた糸巻き部品を用いて、それに、第１と第２の装着部を装着して本発明の釣り糸収納具を形成することもでき、使い勝手がよく安価な釣り糸収納具を実現することができる。このような理由により、第１の装着部５１９と第２の装着部５２３の如き装着部のみのものも本発明の釣り糸収納具に含める。
【０２７６】
図２７は、本発明の実施の形態例としての収納具の例を説明する断面図で、突起のついていないリール部と突起を有するリール部を組み合わせた例である。
【０２７７】
図２７で、符号６１７は本発明の釣り糸収納具、５３１はリール胴体、５３２および５３３はリール胴体５３１に接続あるいは接合されており、かつ、互いに対向されて配置されている内側壁、５３４はリール胴体５３１の内側壁５３２と内側壁５３３の間のリール外周部、５３５ａ，５３５ｂは内側壁５３２に設けられた穴、また、図示していないが内側壁５３２の外周部付近に設けられているその他の穴のそれぞれを、あるいは総称して穴５３５とも称する。符号５３６ａ，５３６ｂ，内側壁５３３に設けられた穴、また、図示していないが内側壁５３３の外周部付近に設けられているその他の穴のそれぞれを、あるいは総称して穴５３６とも称する。符号５３７は符号５３１〜５３６によって構成されているリール部、５３８は内側壁５３２に近接あるいは接触している外側壁、５３９ａ，５３９ｂは外側壁の外周部近傍から外側壁５４２の方向に向けて突き出している弾性体の突起で、図示していないが、外側壁５３８の外周部近傍に設けられているその他の突起のそれぞれを、あるいは総称して突起５３９と称する。符号５４０は第１の装着部５４１をリール部５３７に取り付けるための取り付け部、５４１は符号５３８〜５４０で示した部分構成される第１の装着部、５４２は内側壁５３３に近接あるいは接触して配置されている外側壁、５４３ａ，５４３ｂは外側壁５４２の外周部近傍から内側壁５３２の方向に向けて突き出している弾性体の突起で、図示していないが、外側壁５４２の外周部付近に設けられているその他の突起のそれぞれを、あるいは総称して突起５４３とも称する。符号５４４は第２の装着部５４５をリール部５３７に取り付けるための取り付け部、５４５は符号５４２〜５４４で構成される第２の装着部、５４６はリール部５３７の中心に取り付け部５４０，５４４によって構成される中心空洞部、５４７は内側壁５３２，５３３およびリール外周部５３４および突起５３９，５４３によって構成される釣り糸収納部である。
【０２７８】
また、図２７において、外側壁５３８および５４２の表面や中心空洞部５４６には逆さ釣り針や鼻カンなどの針を収納することが出来、釣り糸収納部５４７には主として釣り糸を巻きつけて収納し、逆さ釣り針、鼻カン、目印などを、図示していないが、外側壁５３８，５４２の表面部に設けた収納部または、中心空洞部５４６に収納する。また、釣り糸収納部５４７と外側壁５３８および５４２の表面などのリール部の外部との間は、内側壁５３２または内側壁５３３の少なくとも一方に設けられた切り込み部（図示せず）を介して釣り糸を移動することが出来、釣り糸収納部５４７と外側壁５３８または５４２と中心空洞部５４６との間で釣り糸を自由に往き来させることが出来る。
【０２７９】
図２７において、リール胴体５３１，内側壁５３２，５３３、リール外周部５３４および穴５３５で構成されるリール部５３７はプラスチックによって作られている。外側壁５３８、突起５３９、取り付け部５４０で構成される第１の装着部５４１、および、外側壁５４２、突起５４３、取り付け部５４４で構成される第２の装着部５４５は合成ゴムによって作られている。また、リール胴体５３１，内側壁５３２，５３３、リール外周部５３４および穴５３５は一体形成されている。
【０２８０】
また、中心空洞部５４６にはそれに系合する蓋を両側から取り付けることが出来、逆さ釣り針や鼻カンなどの部品を効率よく収納することも可能である。
【０２８１】
図２７の内側壁５３２と内側壁５３３に、たとえば、図１８を用いて説明したような側壁を用いて説明したような側壁と同様に切り込み部を有する側壁を用いて構成した釣り糸収納具を用いて魚釣りに用いる仕掛けを収納する場合、逆さ釣り針等を、たとえば、図９または図１０を用いて説明したような２つ接するように配置された突起５３９または５４３に引っかけたり、あるいは、中心空洞部５３６に収納して固定した後に、水中糸部分をリール外周部５３４に巻きつけていく。このとき、水中糸の中間部に設けられた目印部分の付近の水中糸を内側壁５３２または５３３に設けられた前記切り込み部を介して水中糸を移動させ、外側壁５３８または５４２の表面に巻きつけることによって収納した後に、再び側壁５３２または５３３に設けられた切り込み部を介して水中糸を移動させリール外周部５３４に巻きつけた後に、仕掛けの終端部である天井糸を、たとえば、図９または図１０を用いて説明したような２つ接するように配置された突起５３９または５４３に引っかけたり、あるいは内側壁５３２または５３３の切り込み部から引き出して中心空洞部５４６に収納して固定する。
【０２８２】
図２７のように構成された収納具を用いて、釣り糸を釣り糸収納具に収納した場合、リール外周部５３４に巻きつけられた外側に広がろうとする水中糸は突起５３９および５４３によって押さえられて、自然に解けることなく釣り糸収納部５４７に収納される。また、目印部分や逆さ釣り針や鼻カンなどが外側壁や中心空洞部などの水中糸を収納する部分とは別の部分に収納されることにより、水中糸などの部分が目印に引っかかるなどにより破損することを効果的に防ぐことが出来る。
【０２８３】
また、図２７を用いて説明したような本発明の釣り糸収納具の例に用いる各側壁に、図２〜図２５を用いて説明した側壁を適宜用いることができ、それ以外の側壁も用いることができる。そして、図２７で説明した側壁の突起は、各外側壁の外周部に設けても良く、外周部近傍の釣り糸収納部の内側に寄った部分に設けても良い。
【０２８４】
また、外側壁に設ける切り込み部の数を１〜４個にすると、釣り糸を巻きつけ易くさらに形状を保ち易いなど特に好ましい。
【０２８５】
リール部５３７は突起を有しないリール部であり、このリール部５３７を内包した外側壁５３８と５４２とそれらに設けられた突起に挟まれた釣り糸収納部全体で突起を有するリール部を形成している。
【０２８６】
そして、図２７を用いて説明した外側壁は図２６を用いて証明した外側壁と基本的に同様の形態で用いることができる。
【０２８７】
図２８〜図３０は本発明の実施の形態例としての釣り糸収納具の別の例を説明する図で、側壁の外周部近傍に前記の如き弾性体の突起を有する釣り糸収納部を２つと側壁の外周部近傍に前記の如き弾性体の突起を有しない釣り糸収納部を１つ有し、かつ、釣り糸収納具の一部が回転できるように構成した例である。
【０２８８】
図２８は本発明の実施の形態例としての釣り糸収納具を後述の中央ネジ部の蓋部がある側の側壁に対して垂直な方向から見た図で、図２９は後述の図３０の折れ線Ａ−Ｂで切った断面図で、図３０は図２８の釣り糸収納具を後述の突出部がある後述の収納具支持体に対して垂直な方向、すなわち図２８とは逆方向からみた図である。
【０２８９】
図２８〜図３０で、符号３０１は本発明の釣り糸収納具、３０２，３１５，３１６はプラスチック製の側壁、３０３は釣り糸収納具３０１の収納具支持体、３０４，３０５は穴、３０４ａ，３０５ａはそれぞれ穴３０４，３０５の蓋部、３０６は中央ネジ部、３０７は側壁３０２の表面に側壁３０２の中心を中心として放射状に設けられた放射状突起である。また、３０９は収納具支持体３０３に設けられたネジ穴部、３１０は中央ネジ部の蓋部、３１４はネジで、３１１はネジ３１４のネジ頭部、３１１ｂはネジ３１４の連結部、３１２はネジ３１４のネジ部、３１３はネジ３１４を締めた状態でリール胴体３３５の中央部分にある後述の図３２に符号３３６ａで示した突出した部分と収納具支持体３０３の中央部にある後述の図３８に符号３６１で示した突出部との間にある第１の隙間部分、３１７はゴム製の側壁、３１８ａおよび３１８ｂは側壁３１７から側壁３１５に向けて突き出している帯状の弾性体の突起である。突起３１８ａと突起３１８ｂならびに側壁３１４の外周部近傍に設けられているその他の突起のそれぞれあるいはそれを総称して突起３１８とも称する。符号３１９ａおよび３１９ｃは側壁３１７の外周部近傍から側壁３１６に向けて突き出している弾性体の突起で、側壁３１７の周方向に複数個設けられている。突起３１９ａおよび突起３１９ｃ、ならびに側壁３１４の外周部近傍に設けられているその他の突起のそれぞれあるいはそれを総称して突起３１９とも称する。符号３２０ａおよび３２０ｂは側壁３１７の前記突起３１９よりも側壁３１７の中心に寄った方向の部分から側壁３１６の方に向けて突き出している弾性体の突起で、突起３２０ａと突起３２０ｂはその根本が接触するように形成されているか、その根本が狭い間隔を有するように形成されている。突起３２０ａと突起３２０ｂの根本の間隔は、後述のようにその使い方によって好適な近接状態にするが、たとえば針を収納するには、突起の根本の直径よりも小さい間隔にすると収納に便利である。なお、突起３２０ａおよび突起３２０ｂならびに側壁３１４の外周部近傍に設けられているその他の突起のそれぞれあるいはそれを総称して突起３２０とも称する。符号３２１はたとえば、突起３２０ａと突起３２０ｂのような近接した突起３２０の組としての突起対、３２２は側壁３０２と側壁３１５の間のリール外周部、３２３ａは側壁３１７と３１５の間のリール胴体、３２３ｂは側壁３１５と側壁３１７の間のリール外周部、３２４，３２５は収納具支持体３０３から突き出している突出部、３３０および３３１はそれぞれ突出部３２４および３２５に設けられた穴、３２８および３２９はリール胴体部３３５および収納具支持体３０３によって構成され穴３０４および３０５に続いている空洞部分、３２６および３２７はそれぞれ穴３０４および３０５の空洞部分３２８および３２９へに続いている空洞部、３３２は側壁３０２および側壁３１５ならびにリール胴体３３５によって構成される第２の釣り糸収納部としての付属物収納部、３３３はリール外周部３２３ｂおよび側壁３１５および側壁３１７ならびに突起３１８によって構成される第１の釣り糸収納部分、３３４は側壁３１７，側壁３１６，突起３１９，突起対３２１によって構成される第２の付属物収納部、３３５は側壁３０２，３１５，３１６を有するリール胴体、３５３ａは側壁３１７と３１６の間のリール胴体、３５３ｂはリール胴体３５３ａのリール外周部である。符号３３６はリール胴体３３５にネジ３１４を取り付けるときの取り付け部で、ネジ３１４の連結部３１１ｂの外径よりわずかに大きな円形の穴が取り付け部３３６（後述）としてリール胴体３３５に開けられており、この部分にネジ３１４の連結部３１１ｃとその係合する穴である取り付け部３３６の間に生じる第２の隙間部分３１１ｃが存在する。この第２の隙間部分３１１ｃと前記第１の隙間部分３１３との効果により、収納具支持体３０３とリール胴体３３５ならびに側壁３０２がネジ３１４によって回転可能に契合される。
【０２９０】
図２８で、釣り糸収納具３０１は全体として円盤状であり、側壁３０２および収納具支持体３０３も円盤状に形成されている。また、ネジ部３０６は側壁３０２の中心に位置している。また、放射状突起３０７は側壁３０２の表面の穴３０４，３０５よりも外側の外周近傍にネジ部３０６を中心とした放射線状に一定の長さの線状の突起として形成されている。
【０２９１】
図２９で、側壁３０２，３１５，３１６を有し、側壁３１７を装着したリール胴体部３３５と収納具支持体３０３は、ネジ３１４のネジ部３１２を収納具支持体３０３に設けられたネジ穴部３０９に挿入してネジを締めることによって連結されている。取り付け部３３６の穴はネジ１４のネジ頭部３１１の下側部分にある連結部３１１ｂの外径よりもわずかに大きく作られている。ネジ３１４の上には蓋部３１０が設けられており、ネジ３１４を保護している。また、リール胴体３３５と収納具支持体３０３は、ネジ３１４によって連結されたときに互いの形によって空洞部分３２８および３２９を構成している。側壁３１７上に設けられた突起３２０はリール胴体３３５の中心から引いた放射線上に並んで突起対３２１として配置されている。側壁３１７上に設けられた突起３１８は棒状に、突起３１９は円弧状の帯状に形成されており、側壁３１７は後述の切り込み部３０８Ｂを有している。また、収納具支持体３０３に設けられた突出部３２４，３２５は根本部分よりも先端部分の方が外形がわずかに大きく、かつ、先端部分の外径は、それを挿入できる蓋部３０４ａ，３０５ａの内径よりもわずかに大きく作られている。
【０２９２】
リール胴体３３５および側壁３０２，３１５，３１６および収納具支持体３０３はプラスチックによって構成されており、側壁３１７および突起３１８，３１９，３２０およびリール胴体３２３ａ，３５３ａはゴムによって構成されている。側壁３１７などを形成する前記ゴムとしては合成ゴムが特に好適なゴムであり、たとえばシリコーンゴムを用いることができる。のシリコーンゴムを適宜選ぶことにより、リール胴体３２３ａと３５３ａを引張って伸ばすことができ、独立に製造した前記プラスチック製のリール胴体３３５にリール胴体３２３ａｔｏ３５３ａを引き延ばしてはめることができる。
【０２９３】
図２８〜図３０を用いて説明したような側壁３０２と収納具支持体３０３およびプラスチック製の側壁３１５および３１６とゴム製の側壁３１７を用いて構成した釣り糸収納具を用いて魚釣りに用いる仕掛けを収納する場合、逆さ釣り針等を近接した突起の組としての突起対３２１に引っかけて固定して逆さ釣り針付近の糸を逆さ釣り針などの付属物とともに第２の付属物収納部３３４に収納した後に、側壁３１７に設けられた切り込み部３０８Ｂを介して釣り具の水中糸を第１の釣り糸収納部３３３に移動させてリール胴体３２３ａのリール外周部３２３ｂに巻きつけることによって、水中糸などを第１の釣り糸収納部３３３に収納する。このとき、目印部分付近の水中糸を側壁３１５に設けられた後述の切り込み部３０８Ａを介して水中糸を第１の付属物収納部３３２に移動させ、リール胴体３３５のリール外周部３２２に巻きつけることによって第１の付属物収納部３３２に収納した後に、再び側壁３１５に設けられた切り込み部３０８Ａを介して水中糸を第１の釣り糸収納部３３３に移動させてリール外周部３２３に巻きつけた後に、仕掛けの終端部である天井糸を、突起対３２１に引っかけるなどして固定する。
【０２９４】
また、予備の鼻カンなどの付属物を空洞部分３２８，３２９に入れて収納することもできる。
【０２９５】
また、水中糸などの部分をリール外周部３２３に巻きつける際には、放射状突起３０７の部分に指などを当てて巻きつけたい方向にリール胴体３３５を回して、リール胴体３３５を回転させることによって巻きつけることができる。また、リール外周部３２２に巻きつけるときや、第２の付属物収納部３３４に収納する際にも適宜リール胴体３３５の回転操作を使い、素早く作業を行うことができる。なお、放射状突起を３０７に同様に作業が可能となる。
【０２９６】
図２８〜図３０を用いて説明したように構成された釣り糸収納具を用いて、釣り糸を釣り糸収納具に収納した場合、リール外周部３２３に巻きつけられて外側に広がろうとする水中糸は突起３１８によって押さえられて、自然に解けることなく釣り糸収納部３３３に収納される。また、目印部分が第１の付属物収納部３３２に、逆さ針などの部分が第２の付属物収納部３３４にそれぞれ水中糸などの大部分とは別に収納されることにより、水中糸などが目印に引っかかったり破損したりすることを効果的に防ぐことが出来る。また、鼻カンなど取り外しが可能な部品を空洞部分３２８，３２９に収納することも出来る。また、リール胴体３３５と収納具支持体３０３がネジ３１４によって、第１の隙間部分３１３と第２の隙間部分３１１ｃを有して連結され、リール胴体３３５と収納具支持体３０３が独立に回転できるため、前述のように水中糸などを収納する際に、たとえば収納具支持体３０５を一方の手で持ち他方の手の指を放射状突起３０７にかけてリール胴体３３５を回転することにより、素早くかつ効率的に釣り具を収納することができる。
【０２９７】
また、突出部３２４と突出部３２５は穴３０４と穴３０５に係合するような大きさに構成しており、本発明の釣り糸収納具３０１同士を穴３０４，穴３０５に突出部３２４，突出部３２５を挿入して連結することができるため、多数の本発明の釣り糸収納具を一まとめにして持ち歩くことができる。
【０２９８】
図３１〜図４１は図２８〜図３０を用いて説明した本発明の釣り糸収納具を構成する部品の例を説明する図である。
【０２９９】
図３１〜図３３は図２８〜図３０を用いて説明した側壁３０２，３１５，３１６およびリール胴体３３５を有するリール胴体部品を説明する図である。図３１は側壁３０２の外側からリール胴体部品３４０を見た図、図３２はリール胴体部品３４０を図３１の符号Ｃ−Ｄで示す直線の位置で切った断面図、図３３はリール胴体部品３４０を図３１とは反対側すなわち図３２の側壁３１６のある側からみた図である。
【０３００】
図３１〜図３３で、図２８〜図３０と同じ符号のものは図２８〜図３０と同じものを表す。図３１〜図３３で、符号３４０はリール胴体部品、３４１は側壁３１５と側壁３１６の間のリール外周部、３４３は中央ネジ部３０６に設けられた穴で、穴３３６に続いて形成されており、穴３３６よりも側壁３０２側にある穴である。
【０３０１】
図３１において、放射状突起３０７は、側壁３０２の裏側、すなわち、釣り糸収納具の外側の表面に、側壁３０２の中心から放射状ににある位置に配置されている。そして、この放射状突起３０７は、突起の代わりに凹部にすることもできる。また、穴３３６は側壁３０２の中心に設けられている。
【０３０２】
図３２において、リール胴体部品３４０の側壁３０２と側壁３１５の間の部分であるリール胴体３３５は、側壁３０２，３１５の中央部分とともに、円盤の中央ネジ部３０６，空洞部３２６，３２７の部分をくりぬかれた形状をしており、側壁３１５と側壁３１６を接続している間の部分は、リール外周部３４１を有し、その内側の部分が空洞になっている。また、中央ネジ部３０６近傍の側壁３０２とは反対側すなわち穴３３６が設けられている側の穴３３６の周囲は、符号３３６ａで示したように、側壁３１５がある位置よりも側壁３１６の方向へ円筒状に突出した形状になっている。
【０３０３】
図３３において、側壁３１６にかくれて見えないので図中に破線で示したように、側壁３１５には穴３０４の中心と中央ネジ部３０６の中心と穴３０５の中心を結んだ直線上とその直線に直交し、かつ、側壁３１５の面に含まれる直線上に、切り込み部３０８ａ，３０８ｂ，３０８ｃ，３０８ｄが設けられており、切り込み部３０８ａ，３０８ｂ，３０８ｃ，３０８ｄは側壁の外周部分からリール外周部３２２までの長さで設けられている。切り込み部３０８ａ，３０８ｂ，３０８ｃ，３０８ｄのそれぞれをあるいは総称して切り込み部Ａとも称する。
【０３０４】
図３４〜図３６は、図２９において説明した両側に弾性体の突起を有する弾性体の側壁３１７を有する部品についてより詳細に説明する図であり、図３４は側壁３１７の突起３１８が設けられている側から見た平面図、図３５は図３４の符号Ｅ−Ｆで示した折れ線に沿って切った断面図、図３６は側壁３１７の帯状突起３１９および突起３２０が設けられている側すなわち図３４とは反対側から見た図である。
【０３０５】
図３４〜図３６で、図２８〜図３０と同じ符号のものは図２８〜図３０と同じものを表す。図３４〜図３６で、符号３５０は側壁３１７を有する円環状の弾性体部品、３５２は弾性体部品３５０の中心にある断面が円状の穴、３１９ｂ，３１９ｄは突起、３０８ｅ，３０８ｆ，３０８ｇ，３０８ｈは側壁３１７に設けられた切り込み部である。そして、切り込み部３０８ｅ，３０８ｆ，３０８ｇ，３０８ｈのそれぞれをあるいは総称で切り込み部３０８Ｂとも称する。
【０３０６】
突起３１９ａ〜３１９ｄは、その配置されている側壁の径方向の寸法よりも前記側壁の外周に沿った方法の寸法が大きい、以下において帯状の突起あるいは帯状突起とも称する形状の突起で、突起３１９ａは側壁３１７の切り込み部３０８ｆから３０８ｇまで、突起３１９ｂは切り込み部３０８ｆから３０８ｅまで、突起３１９ｃは切り込み部３０８ｅから３０８ｈまで、突起３１９ｄは切り込み部３０８ｈから３０８ｇまで、それぞれ側壁３１７の外周の少し内側に外周に沿って側壁３１７と一体成形で形成されている。
【０３０７】
図３４において、切り込み部３０８Ｂ（すなわち、切り込み部３０８ｅ，３０８ｆ，３０８ｇ，３０８ｈ）は弾性体部品３５０の中心から測った中心角で９０度ごとに等間隔で、側壁３１７の外周部からリール外周部３２３ｂまで、リール胴体３２３ａの一部までの深さで設けられている。また、突起３１８は弾性体部品３５０の中心から測った中心角で３０度ごとに等間隔で側壁３１７の外周より少し内側に設けられている弾性体の棒状の突起である。突起３１８がある側のリール胴体３２３ａは、帯状突起３１９および突起対３２１がある側のリール胴体３５３ａよりも厚みすなわち側壁３１７の径方向の寸法が厚く形成されているが、リール胴体３２３ａとリール胴体３５３ａの内径は同じである。また、突起対３２１は突起３１９よりも内側すなわちリール胴体３５３ａのリール外周部３５３ｂに近い側に形成されている。
【０３０８】
図３６において、帯状突起３１９は、側壁３１７の側壁３１６に対向する面に設けられており、側壁３１７の最も外側の部分である外周部よりわずかに内側に円弧の帯状に設けられている。突起対３２１を形成している２つの突起３２０ａと３２０ｂは、弾性体部品３５０の中心からみて放射線状に２つ近接して一直線に並んで配置されており、突起対３２１はそれぞれの切り込み部３０８Ｂの両側近傍に１組ずつ、すなわち１つの切り込み部３０８Ｂに対応して２つずつ配置されており、側壁３１７全体で８つ設けられている。
【０３０９】
また、弾性体部品３５０の穴３５２の径は図３１〜図３３を用いて説明したリール胴体部品３４０のリール外周部３４１の外径と同じか、リール外周部３４１の外周よりもわずかに小さく形成されている。
【０３１０】
特に好ましい実施の形態例として、前記の如く、リール胴体部品３５０をシリコーンゴムで一体成形技術を用いて製造し、これとは独立して、リール外周部品３４０も樹脂を用いて一体成形技術で製造しておく。そして、リール胴体部品３４０のリール外周部３４１に弾性体部品３５０を装着する際には、弾性体部品３５０を引っ張って伸ばすことにより穴３５２を拡げて、たとえば、側壁３１６の側から側壁３１５側と側壁３１６の間に挿入して、リール外周部３４１に装着する。このようにすることによって、リール胴体部品３４０に着脱可能な弾性体部品にすることができる。
【０３１１】
また、リール胴体部品３４０と弾性体部品３５０の一方をあらかじめ成形しておき、それを成型用の型に装着して他方を成形し、釣り糸収納具を製造することもできる。
【０３１２】
このほか、衆知のゴムあるいはプラスチックあるいは金属などの成形技術を用いて、リール胴体部品３４０や弾性体部品３５０あるいは釣り糸収納具を、高い信頼性をもたせて、安価に量産することができる。
【０３１３】
図３７〜図３９は図２８〜図３０を用いて説明したの収納具支持体３０３を詳細に説明する図であり、図３７は後述の突出部３６１がある側、すなわちリール胴体部品３４０をネジ止めによって組み込む側から見た図、図３８は、収納具支持体３０３を図３７の符号ＧーＨで示した直線の位置で切った断面図、図３９は突出部３２４および３２５がある側すなわち図３７とは反対側から見た図である。
【０３１４】
図３７〜図３９で、図２８〜図３０と同じ符号のものは図２８〜図３０と同じものを表す。図３７〜図３９で、符号３６１は収納具支持体３０３の突出部３２４および３２５がある側とは反対側に設けられた円柱型の突出部、３６４および３６５は収納具支持体３０３の突出部３６１がある側にわずかに形成されている段差の境界線である。
【０３１５】
図３７において、突出部３６１は収納具支持体３０３の中央部に設けられており、ネジ穴部３０９は突出部３６１の中心に設けられている。また、穴３３０および３３１は、収納具支持体３０３の段差３６４よりも内側すなわち中心側に形成されている。
【０３１６】
図３８において、収納具支持体３０３の段差３６４と３６５に挟まれた部分は、図ではわかりにくいが、その周囲よりもわずかに凹部に形成されており、その部分の収納具支持体３０３の厚みはその周囲よりも薄く、突出部３６１は突出部３２４および突出部３２５が形成されている側とは反対側に形成されている。また、突出部３２４，３２５にはそれぞれ穴３３０，３３１が設けられている。
【０３１７】
図３８と図３９において、突出部３２４および３２５は先端部分の一部が周囲に出っ張った形状をしている。そして、突主部３２４，３２５は、前記リール胴体部品３４０の穴３０４、３０５に着脱自在に挿入することが出来る寸法に形成されている。
【０３１８】
図４０と図４１は図３８と図３９の突出部３２４を説明する図であり、図４０は収納具支持体３０３を突出部３２４，３２５の方向すなわち図３９の場合と同じ方向からみた図、図４１は図４０の符号ＩーＪで示した直線の位置で切った断面図である。また、突出部３２５は突出部３２４と同一の形状をしており、突出部３２４の説明は突出部３２５の説明を兼ねるものとする。
【０３１９】
図４０，図４１において、図３７〜図３９と同符号のものは同一のものを表す。図４０，図４１において符号３６２は突出部３２４の円環状の縁部、３６３ａ，３６３ｂ，３６３ｃは縁部３６２より突出している取っ掛かり部であり、取っ掛かり部３６３ａ，３６３ｂ，３６３ｃのそれぞれあるいはそれを総称して取っ掛かり部３６３とも称する。
【０３２０】
図４０において、縁部３６２と取っ掛かり部３６３は一体成形されており、取っ掛かり部３６３は等間隔で縁部３６２の周囲に配置されている。図４１に示すように、突出部３２４は、その先端部分すなわち、取っ掛かり部３６３の部分だけ突出している。
【０３２１】
図４２，図４３は本発明の釣り糸収納具において、リール胴体部分部品３４０と収納具支持体３０３を連結させるために用いるネジ３１４を説明する図であり、図４２はネジ３１４のネジ頭部３１１のネジアマ部分がある側から見た図、図４３ネジ３１４を図４２の符号ＫーＬで示した直線の位置で切った断面図である。
【０３２２】
図４２，図４３において、図２９と同符号のものは同一のものを表す。図４２，図４３において、符号３１１ｄはネジ頭部３１１に設けられたネジアマ部分、Ｃ１とＣ２は中心線である。また、Ｗ１はネジアマ部分３１１ｄの幅、φ１はネジ頭部３１１の直径、φ２は連結部３１１ｂの直径、Ｌ１はネジ頭部３１１の長さ、Ｌ２はネジ３１４全体の長さ、Ｌ３は連結部３１１ｂの長さ、Ｄ１はネジアマ部分３１１ｄの深さ、Ｍ１はネジ部３１２のねじ切りの寸法である。
【０３２３】
図４４〜図５２は図３１〜図４１を用いて説明した本発明の釣り糸収納具を構成する部品の寸法の例を説明する図である。
【０３２４】
図４４〜図４６は図３１〜図３３を用いて説明した、側壁３０２，３１５，３１６およびリール胴体３３５を有するリール胴体部品の寸法を説明する図であり、図４４〜図４６は、それぞれ図３１〜図３３と同様の図にに寸法を説明するための符号を付けた図である。
【０３２５】
図４４で、符号θ１０は隣り合った各放射状突起３０７の間隔を側壁３０２の中心に対して張る中心角として測った間隔、Ｗ２は放射状突起３０７の幅、φ３は側壁３０２の中心から放射状突起の内側の先端まで測った直径である。すなわち、この場合、各放射線状突起３０７は、側壁３０２の中心を円の中心とする直径φ３の円周に接してその外側に配置されている。
【０３２６】
図４５で、符号φ４はネジ部３０６の穴３４３の直径、φ５はネジ部３０６の蓋部３１０が入る凹部の入口部分の内径、φ６は穴３０４および３０５の入口部分である蓋部３０４ａ、３０５ａの最も内径が小さくなっている部分の内径、φ７は穴３０４および３０５の入り口部分に続く空洞部分３２６，３２７の内径、φ８はネジ部３０６の穴３３６の内径、φ９は穴３３６周辺部の突き出し部分３３６ａの外径、φ１０はリール胴体３３５一部として形成されているリール外周部３４１がある部分のリール胴体の内径、φ１１はリール外周部３４１の外径、φ２７は側壁３１６の外径である。また、Ｌ４は穴３０４の中心から穴３０５中心までの長さ、Ｄはネジ部３０６の蓋部３１０が入る凹部の深さ、Ｄ２は穴３０４および３０５の入り口部分の寸法、Ｄ３は穴３０４および３０５の空洞部３２６，３２７部分の深さ、Ｄ４は側壁３１５の外側と内側の厚みの違いすなわち側壁３１５の側壁３１６の側でリール外周部３２２の位置に相当する位置の近傍から凹んでいる部分（図３２で符号３５４で示した凹み）の深さ、Ｗ３は放射状突起３０７の長さ、Ｗ４は放射状突起まで含んだリール胴体部品３４０全体の厚み、Ｗ５は前記側壁３１５の凹み３５４の幅、Ｗ６は側壁３１６の他の部分よりも凹んでいる部分の幅、Ｗ７は側壁３１６の前記側壁３１６の他の部分よりも凹んでいる部分から外側の外周部分の幅、Ｗ８は第２の収納ユニットである第１の付属物収納部３３２の入口部分の幅、Ｗ９は側壁３１５と側壁３１６の間の入口部分の幅、Ｗ１０は前記は側壁３１６の前記側壁３１６の他の部分よりも凹んでいる部分すなわち図３２に符号３１６ａと３１６ｂで示した部分の間の部分の凹みの深さ、Ｒ１は穴３０４および３０５の入り口部分に出っ張っている半球状の部分の半径、Ｒ２は放射状突起３０７の端部の曲率半径、Ｒ３は側壁３０２の外周部分の曲率半径、Ｒ４は側壁３１５の外周部分の曲率半径、Ｒ５は側壁３１６の外周部分の曲率半径、θ１１は側壁３０２の一方の側の面すなわち放射状突起３０７がある側の面と側壁３０２の他方の側の面すなわち側壁３１５に対向している側の面が成す角度、θ１２は側壁３１５の側壁３１６側の面と側壁３０２側の面が成す角度、ネジ部３０６の蓋部３１０が入る凹部の入口部分のテーパの角度である。
【０３２７】
図４６で、符号Ｗ１１は切り込み部３０８Ａの幅、Ｒ６は切り込み部３０８Ａの側壁３１５の中心側の部分の曲率半径、Ｒ７は切り込み部３０８Ａの側壁３１５の外周部側のコーナーの曲率半径、Ｌ５は切り込み部３０８Ａの深さである。
【０３２８】
図４７〜図４９は、それぞれ、図３４〜図３６を用いて説明した弾性体部品の各部の寸法を説明するための図である。
【０３２９】
図４７で、符号θ１４は突起３１８同士の間隔を弾性体部品３５０の中心に関して張る中心角で測った角度である。
【０３３０】
図４８で、符号Ｗ１２は弾性体部品３５０全体の厚み、Ｗ１３は突起３１８の高さ、Ｗ２２は側壁３１７の厚み、φ１２はリール胴体３２３ａのリール外周部３２３ｂの外径、φ１３はある１つの突起３１８の中心から弾性体部品３５０の中心に対して点対称の位置にある別の突起３１８の中心までの距離としての直径、φ１４は側壁３１７の最外周部で測った側壁３１７の直径、φ１５は穴３５２の直径、φ１６はリール外周部３５３ｂの外径、φ１７は側壁３１７上の帯状突起３１９の内側を結んだ円の直径、φ１８は側壁３１７上の帯状突起３１９の外側を結んだ円の直径、φ１９は突起３１８の中央部の外径、Ｒ１４は側壁３１７の外周部断面の曲率半径、Ｒ８は突起３１８の先端部の曲率半径である。
【０３３１】
図４９で、符号φ２０は突起対３２１を構成する突起のうちの側壁３１７の外周に近い方の突起３２０ａの中心を結んだ円の直径、φ２１は突起対３２１を構成する突起のうちの側壁３１７の中心に近い方の突起３２０ｂの中心を結んだ円の直径、φ２２は突起対３２１を構成する突起３２０ａ、３２０ｂの直径、φ２３は突起対３２１の中心点を線で結んだ円の直径、θ１５は切り込み部３０８Ｂの１つから最も近い突起対３２１までの間隔を側壁３１７の中心に関する中心角で測った角度、Ｒ９は切り込み部３０８Ｂの側壁外周部との境界部分すなわち入口部分の丸みの曲率半径、Ｗ１４は切り込み部３０８Ｂの主要部分の幅である。
【０３３２】
図５０は図３８を用いて説明した収納具支持体３０３の各部の寸法を説明する図である。
【０３３３】
図５０で、φ２４は突出部３６１の外径、φ２５は突出部３２４および３２５の穴３３０および３３１の中心を結んだ円の直径すなわち穴３３０および３３１の中心間距離、φ２６は収納具支持体３０３の外径、Ｗ１５は突出部３６１の高さ、Ｗ１６は収納具支持体３０３の突出部３２４および３２５がある側の中央部から突出部３６１の表面までの寸法、Ｗ１７は突出部３２４および３２５と突出部３６１を含んだ収納具支持体３０３の最大厚み、Ｗ１８は段差３６４と段差３６５の間の寸法すなわち収納具支持体３０３の突出部３６１がある側の凹んでいる部分の幅寸法、Ｗ１９は収納具支持体３０３の外周に近い方の段差３６５から収納具支持体３０３の外周部分までの幅、Ｄ５は段差３６４および段差３６５の深さである。Ｒ１０は収納具支持体３０３の外周部断面の丸みの曲率半径、Ｒ１１は収納具支持体３０３の突出部３２４と３２５がある側の突出部３２４と３２５の間の部分の表面の曲率半径で、収納具支持体３０３の丸みを表している。
【０３３４】
図５１と図５２は図４０と図４１を用いて説明した突出部３２４，３２５の各部の寸法を説明する図である。なお、突出部３２５は突出部３２４と同一の形状をしており、突出部３２４の説明は突出部３２５の説明を兼ねるものとする。
【０３３５】
図５１、図５２で、符号φ２８は穴３３０の直径、すなわち縁部３６２の内径、φ２９は縁部３６２の取っ掛かり部３６３を除いた部分の外径、θ１６，θ１７，θ１８は各隣り合う取っ掛かり部３６３の間隔を突出部３２４の中心に関する中心角で表した角度である。符号Ｗ２０は収納具支持体３０３を含めた突出部３２４の高さ、Ｗ２１は収納具支持体３０３の突出部３２４が形成されている部分の厚み、Ｒ１２は突出部３２４の断面外周部の曲率半径、Ｒ１３は取っ掛かり部３６３の外周部分の断面の曲率半径である。
【０３３６】
これらの各部の寸法はその用途において種々の改良が可能なものであるが、鮎釣り用の釣り糸収納具として好ましい寸法例を以下に記す。
【０３３７】
図４２および図４３において、φ１が４．９ｍｍ，φ２が３．９ｍｍ，Ｄ１が１ｍｍ，Ｗ１が１ｍｍ，Ｌ１が３ｍｍ，Ｌ２が１０ｍｍ，Ｌ３が２．２５ｍｍ，Ｍ１が３．０であるネジと、
【０３３８】
図４４〜図４６において、φ３が３２．５ｍｍ，φ４が５ｍｍ，φ５が１０ｍｍ，φ６が４．９ｍｍ，φ７が６．０ｍｍ，φ８が４ｍｍ，φ９が１０ｍｍ，φ１０が３２ｍｍ，φ１１が３４ｍｍ，φ２７が５０ｍｍであって，Ｗ２が０．５ｍｍ，Ｗ３が５ｍｍ，Ｗ４が１４．５ｍｍ，Ｗ５が３．６ｍｍ，Ｗ６が５．５ｍｍ，Ｗ７が１．５ｍｍ，Ｗ８が４ｍｍ，Ｗ９が７ｍｍ，Ｗ１０が０．１ｍｍ，Ｗ１１が０．５ｍｍであって，Ｄ２が１．５ｍｍ，Ｄ３が４．２ｍｍ，Ｄ４が０．２ｍｍ，Ｌ４が２０ｍｍ，Ｌ５が５ｍｍ，θ１０が１０°，θ１１が４°，θ１２が４．０°であって，Ｒ１が０．５ｍｍ，Ｒ２が０．５ｍｍ，Ｒ３が０．４２ｍｍ，Ｒ４が０．５ｍｍ，Ｒ５が０．５ｍｍ，Ｒ６が０．２５ｍｍ，Ｒ７が０．３ｍｍであるリール胴体部品と，
図４７〜図４９において、φ１２が４０ｍｍ，φ１３が４８ｍｍ，φ１４が５０ｍｍ，φ１５が３４ｍｍ，φ１６が３６ｍｍ，φ１７が４７ｍｍ，φ１８が４９ｍｍ，φ１９が０．７ｍｍ，φ２０が４２．３ｍｍ，φ２１が３７．７ｍｍ，φ２２が２ｍｍ，φ２３が４０ｍｍであって，Ｗ１２が７．４ｍｍ，Ｗ１３が４ｍｍ，Ｗ１４が０．４ｍｍであって，θ１４が３０°，θ１５が１５°であって，Ｒ１４が０．５ｍｍ，Ｒ８がｍｍ０．３５，Ｒ９が０．２ｍｍである弾性体部品と，
図５１、図５２において、φ２８が３．２ｍｍ，φ２９が４．６ｍｍ，Ｗ２０が２．８ｍｍ，Ｗ２１が１．２ｍｍ，θ１６およびθ１７およびθ１８が４６°，Ｒ１２が０．９ｍｍ，Ｒ１３が０．５ｍｍであるような突出部を有しており、かつ、図５０において、φ２４が１０ｍｍ，φ２５が２０ｍｍ，φ２６が５３ｍｍであって，Ｄ５が０．１ｍｍ，Ｗ１５が６．６ｍｍ，Ｗ１６が７．９ｍｍ，Ｗ１７が９．１５，Ｗ１８が５ｍｍ，Ｗ１９が３ｍｍであって，Ｒ１０が０．４ｍｍ，Ｒ１１が７００ｍｍである収納具支持体
を用いて本発明の釣り糸収納具を構成したところ、小型で携行に便利で、釣り糸などの釣り具を収納するときには素早く巻き付けて収納することができ、かつ、釣り糸収納具に巻き付けておいた仕掛を釣りを行うために取り出すときもスムーズに取り出して使用することができ、巻き付け収納や取り出しによる釣り具の損傷が全くなく、何回も使用することができ、釣り具としての信頼性が高く、安価な釣り糸収納具を量産することができた。
【０３３９】
以上、本発明の実施の形態例を図１〜５２を参照して説明したが、これらの各実施例に前記「課題を解決するための手段」に記載した本発明の各特徴うち、各実施例に適用できるものを適宜選択して適用すると、本発明の釣り糸収納具は、一層使いやすく信頼性の高いものになることが、本発明者らの実験によって明らかになった。
【０３４０】
以上の説明で本発明の釣り糸収納具の特徴が明らかになったが、本発明は、上記説明の範囲に狭く限定されるものではなく、収納ユニットを構成する側壁の内の少なくとも１つの側壁に、収納ユニットに収納してある釣り糸が自然にほどけてしまうのを妨げる効果を発揮する弾性体の突起を設けたことを顕著な特徴にする技術思想を用いて、多くのバリエーションを可能とするものである。
【０３４１】
上記の説明においては、たとえば、図２８〜５２を用いて説明した釣り糸収納具の側壁３０２，３１５，３１６や収納具支持体３０３などの弾性体以外の主要部品の多くを、プラスチックを用いて形成した例を説明したが、本発明はこれに狭く限定されるものではなく、アルミニウムや、チタン、マグネシウムなどの合金など金属を用いて構成することができ、防水効果を有する紙などを用いて構成するが可能であり、プラスチックを用いることにより成形加工がし易く、安価で軽い釣り糸収納具を得ることができ、アルミニウムを用いることにより、美的で、資源回収に有利な、軽くて寿命の長いものにでき、チタンやマグネシウム合金を用いて、美的で軽く、使いやすい釣り糸収納具を得ることができるなど、目的に応じて種々のバリエーションが可能である。
【０３４２】
【発明の効果】
以上本発明について説明したとおり、本発明によれば、これまで、絡まったり破損したりしてしまっていた鮎釣りや渓流釣りなどの魚釣りに用いる釣り糸や針などの仕掛けを、絡まったり破損したりせずに安全に収納することができ、さらに、今まで取り外して収納していた鼻カンなどの大型の部品を、取り外さずに収納することも可能にし、かつ、これらの収納を高速で行うことができることに加え、本発明の釣り糸収納具を多数連結させることにより、多数組の釣り糸をコンパクトに収納し携帯しやすくするという多大なる効果をもたらすものである。
【図面の簡単な説明】
【図１】本発明の釣り糸収納具の実施の形態例を説明する断面図である。
【図２】本発明の釣り糸収納具の実施の形態例を説明する平面図である。
【図３】本発明の釣り糸収納具の実施の形態例を説明する断面図である。
【図４】本発明の釣り糸収納具に用いる突起の例を説明する図である。
【図５】本発明の釣り糸収納具に用いる突起の例を説明する図である。
【図６】本発明の釣り糸収納具に用いる突起の例を説明する図である。
【図７】本発明の釣り糸収納具に用いる突起の例を説明する図である。
【図８】本発明の釣り糸収納具の突起の配置を説明する図である。
【図９】本発明の釣り糸収納具の突起の配置を説明する図である。
【図１０】本発明の釣り糸収納具の突起の配置を説明する図である。
【図１１】本発明の釣り糸収納具の実施の形態例を説明する断面図である。
【図１２】本発明の釣り糸収納具の実施の形態例を説明する断面図である。
【図１３】本発明の釣り糸収納具に用いる突起の例を説明する図である。
【図１４】本発明の釣り糸収納具に用いる突起の例を説明する図である。
【図１５】本発明の釣り糸収納具に用いる突起の例を説明する図である。
【図１６】本発明の釣り糸収納具に用いる突起の例を説明する図である。
【図１７】本発明の釣り糸収納具の実施の形態例を説明する断面図である。
【図１８】本発明の釣り糸収納具の実施の形態例を説明する断面図である。
【図１９】本発明の釣り糸収納具の実施の形態例を説明する断面図である。
【図２０】本発明の釣り糸収納具の実施の形態例を説明する断面図である。
【図２１】本発明の釣り糸収納具の実施の形態例を説明する断面図である。
【図２２】本発明の釣り糸収納具の実施の形態例を説明する断面図である。
【図２３】本発明の釣り糸収納具の実施の形態例を説明する断面図である。
【図２４】本発明の釣り糸収納具に用いる側壁の例を説明する図である。
【図２５】本発明の釣り糸収納具の実施の形態例を説明する断面図である。
【図２６】本発明の釣り糸収納具の実施の形態例を説明する断面図である。
【図２７】本発明の釣り糸収納具の実施の形態例を説明する断面図である。
【図２８】本発明の釣り糸収納具の実施の形態例を説明する図である。
【図２９】本発明の釣り糸収納具の実施の形態例を説明する断面図である。
【図３０】本発明の釣り糸収納具の実施の形態例を説明する図である。
【図３１】本発明の釣り糸収納具に用いる部品の例を説明する図である。
【図３２】本発明の釣り糸収納具に用いる部品の例を説明する断面図である。
【図３３】本発明の釣り糸収納具に用いる部品の例を説明する図である。
【図３４】本発明の釣り糸収納具に用いる部品の例を説明する図である。
【図３５】本発明の釣り糸収納具に用いる部品の例を説明する断面図である。
【図３６】本発明の釣り糸収納具に用いる部品の例を説明する図である。
【図３７】本発明の釣り糸収納具に用いる部品の例を説明する図である。
【図３８】本発明の釣り糸収納具に用いる部品の例を説明する断面図である。
【図３９】本発明の釣り糸収納具に用いる部品の例を説明する図である。
【図４０】本発明の釣り糸収納具に用いる部品の例を説明する図である。
【図４１】本発明の釣り糸収納具に用いる部品の例を説明する断面図である。
【図４２】本発明の釣り糸収納具に用いる部品の寸法例を説明する図である。
【図４３】本発明の釣り糸収納具に用いる部品の寸法例を説明する断面図である。
【図４４】本発明の釣り糸収納具に用いる部品の寸法例を説明する図である。
【図４５】本発明の釣り糸収納具に用いる部品の寸法例を説明する断面図である。
【図４６】本発明の釣り糸収納具に用いる部品の寸法例を説明する図である。
【図４７】本発明の釣り糸収納具に用いる部品の寸法例を説明する図である。
【図４８】本発明の釣り糸収納具に用いる部品の寸法例を説明する断面図である。
【図４９】本発明の釣り糸収納具に用いる部品の寸法例を説明する図である。
【図５０】本発明の釣り糸収納具に用いる部品の寸法例を説明する断面図である。
【図５１】本発明の釣り糸収納具に用いる部品の寸法例を説明する図である。
【図５２】本発明の釣り糸収納具に用いる部品の寸法例を説明する断面図である。
【図５３】一般的な鮎釣りの仕掛けの例を説明する図である。
【図５４】従来の釣り具を説明する平面図である。
【図５５】従来の釣り具を説明する断面図である。
【図５６】従来の釣り具を説明する図である。
【図５７】従来の釣り具の収納状態の例を説明する平面図である。
【図５８】従来の釣り具の収納状態の例を説明する断面図である。
【図５９】従来の釣り具の収納状態の例を説明する図である。
【図６０】従来の釣り具を説明する側面図である。
【図６１】従来の釣り具を説明する平面図である。
【図６２】従来の釣り具の収納状態の例を説明する側面図である。
【図６３】従来の釣り具の収納状態を説明する図である。
【図６４】従来の釣り具の収納した後の状態を説明する図である。
【符号の説明】寸法記号（φ１，Ｄ１，Ｗ１、等）を追加
１，７１，１１１，１４１，１４７，１７１，１７７，１９１，２１１，２４１，３２３ａ，３３５，３５３ａ：リール胴体
２，３，１５，５１〜５３，７２，７３，１１２，１１３，１２３，１４２，１４３，１４８，１４９，１７２，１７３，１７８，１７９，１９２，１９３，２１２，２１３，２１７，２３０，２４２，２４３，２４７，３０２，３１５，３１６，３１７：側壁
４，５，６，７，２１，２２，２３，２４，３１〜３３，３４〜３９，４０〜４２，４３〜４８，５４〜５６，５８〜６０，７４，７５，７９，８０，９０，９１，９２〜９５，９６，９７，９８，９９，１１４、１１４ａ，１１４ｂ，１２４，１２４ａ，１２４ｂ，１４４，１４４ａ，１４４ｂ，１５０，１５０ａ，１５０ｂ，１７４，１７４ａ，１７４ｂ，１８０，１８０ａ，１８０ｂ，１９４，１９４ａ，１９４ｂ，２１４，２１４ａ，２１４ｂ，２４４，２４４ａ，２４４ｂ，２４８，２４８ａ，２４８ｂ，３１８，３１８ａ，３１８ｂ，３１９，３１９ａ，３１９ｂ，３１９ｃ，３１９ｄ，３２０ａ，３２０ｂ，３２０：突起
８，７６，１１５，１４５，１５１，１７５，１８１，１９５，２１５ａ，２１５ｂ，２４５ａ，２４５ｂ，３２２，３２３ｂ，３４１，３５３ｂ，：リール外周部
９，７７，１１６，１４６，１５２，１７６，１９６，２１６，２４６：釣り糸収納部
１０，１６，７８，１２５，１３６，１６６，１８９，２０６，２２１，２３４，２５１，３２６，３２７，１０２２：空洞部
１５ａ，１２３ｂ；外側面
１７，１７ａ，１７ｂ，１７ｃ，１７ｄ，１７ｅ，１７ｆ，１７ｇ，１７ｈ，１１７ａ、１１７ｂ，１１７ｃ，１１７ｄ，１１７ｅ，１１７ｆ，１１７ｇ，１１７ｈ，１１７，２３１，２３１ａ、２３１ｂ，２３１ｃ，２３１ｄ，２３１ｅ，２３１ｆ，２３１ｇ，２３１ｈ，３０８Ａ，３０８Ｂ，３０８ａ，３０８ｂ，３０８ｃ，３０８ｄ３０８ｅ，３０８ｆ，３０８ｇ，３０８ｈ，１０２１，１０２１ａ，１０２１ｂ，１０２１ｃ，１０２１ｄ，１０２１ｅ，１０２１ｆ，１０２１ｇ，１０２１ｈ，：切り込み部
１８，１８ａ，１８ｂ，１８ｃ．１８ｄ，１８ｅ，１８ｆ，１８ｇ，１８ｈ，２３２ａ，２３２ｂ，２３２ｃ，２３２ｄ，２３２ｅ，２３２ｆ，２３２ｇ，２３２ｈ，２３２，３０４，３０５，３３０，３３１，３３６，３４３，３５２：穴
５７，６１，３２１：突起対
１１０：１２６，１３７，１５３，１５４，１６１，１８３，１８４，１９０，２０１，２１９，２２０，２５０，２５３，３３２，３３３，３３４：収納ユニット
１２１，１３５，１６０，１８２，２００，２１８，２４９，３３２，３３４：付属物収納部
１２０：接合部
１２２，１６２，１６３，１８６，１８７，２０３，２０４：取り付け部
１２３ａ，２３０ａ：内側面
１２４ａ，１２４ｂ，２３３：印
１２８，１３９：取り付け係合部
１３４，１５８，１５９：接合部分
１３８，１６４，１６５，１８８，２０５，３１３：隙間部分
１８５，２０２：ユニット接合部品
２５２ａ，２５２ｂ、３０４ａ，３０５ａ，３１０，１０２３：蓋
２５４：保持体
２５５，３０１，６０１〜６０４，６１０〜６１７：釣り糸収納具
３０３：収納具支持体
３０６：中央ネジ部
３０７：放射状突起
３０９：ネジ穴部
３１１ｂ：連結部
３１２：ネジ部
３１４：ネジ
３２４，３２５，３３６ａ，３６１：突出部
３２６，３２７，３２８，３２９：空洞部分
３３３：釣り糸収納部分
３４０：リール胴体部品
３５０：弾性体部品
３５１：リール胴体部分
３５４：凹み
３６２：縁部
３６４，３６５：段差
３６３，３６３ａ，３６３ｂ，３６３ｃ：取っ掛かり部
１０１０：仕掛け
１０１１：水中糸
１０１２ａ，１０１２ｂ，１０１２ｃ，１０３４ａ，１０３４ｂ，１０３４ｃ，１０４５，１０５３ａ，１０５３ｂ，１０５３ｃ：目印
１０１３：天井糸
１０１３ａ：結び目
１０１４，１０３３：天井糸先端部
１０１５，：イカリ針
１０１６：逆さ釣り針
１０１７：鼻カン
１０２０，１０４０：収納具
１０２６：外壁部
１０２４，１０２５，：外壁部
１０２６，１０４１：外周部
１０３１，１０５１：針部
１０３２，１０５２：糸部
１０３５：水中糸端部
１０４２：柔軟外壁部
１０４３：硬質外壁部
１０４４ａ，１０４４ｂ：スポンジ部
１０６１ａ，１０６１ｂ：屈折部
Ｄ，Ｄ１〜５，Ｌ１〜Ｌ５，Ｒ１〜１４，Ｗ１〜２２，θ１〜１８，φ１〜２９：寸法説明用記号
【図１】
2004129559.tif 000003
【図２】
2004129559.tif 000004
【図３】
2004129559.tif 000005
【図４】
2004129559.tif 000006
【図５】
2004129559.tif 000007
【図６】
2004129559.tif 000008
【図７】
2004129559.tif 000009
【図８】
2004129559.tif 000010
【図９】
2004129559.tif 000011
【図１０】
2004129559.tif 000012
【図１１】
2004129559.tif 000013
【図１２】
2004129559.tif 000014
【図１３】
2004129559.tif 000015
【図１４】
2004129559.tif 000016
【図１５】
2004129559.tif 000017
【図１６】
2004129559.tif 000018
【図１７】
2004129559.tif 000019
【図１８】
2004129559.tif 000020
【図１９】
2004129559.tif 000021
【図２０】
2004129559.tif 000022
【図２１】
2004129559.tif 000023
【図２２】
2004129559.tif 000024
【図２３】
2004129559.tif 000025
【図２４】
2004129559.tif 000026
【図２５】
2004129559.tif 000027
【図２６】
2004129559.tif 000028
【図２７】
2004129559.tif 000029
【図２８】
2004129559.tif 000030
【図２９】
2004129559.tif 000031
【図３０】
2004129559.tif 000032
【図３１】
2004129559.tif 000033
【図３２】
2004129559.tif 000034
【図３３】
2004129559.tif 000035
【図３４】
2004129559.tif 000036
【図３５】
2004129559.tif 000037
【図３６】
2004129559.tif 000038
【図３７】
2004129559.tif 000039
【図３８】
2004129559.tif 000040
【図３９】
2004129559.tif 000041
【図４０】
2004129559.tif 000042
【図４１】
2004129559.tif 000043
【図４２】
2004129559.tif 000044
【図４３】
2004129559.tif 000045
【図４４】
2004129559.tif 000046
【図４５】
2004129559.tif 000047
【図４６】
2004129559.tif 000048
【図４７】
2004129559.tif 000049
【図４８】
2004129559.tif 000050
【図４９】
2004129559.tif 000051
【図５０】
2004129559.tif 000052
【図５１】
2004129559.tif 000053
【図５２】
2004129559.tif 000054
【図５３】
2004129559.tif 000055
【図５４】
2004129559.tif 000056
【図５５】
2004129559.tif 000057
【図５６】
2004129559.tif 000058
【図５７】
2004129559.tif 000059
【図５８】
2004129559.tif 000060
【図５９】
2004129559.tif 000061
【図６０】
2004129559.tif 000062
【図６１】
2004129559.tif 000063
【図６２】
2004129559.tif 000064
【図６３】
2004129559.tif 000065
【図６４】
2004129559.tif 000066